(57)【特許請求の範囲】
【請求項１】
支持構造体に回転可能に支持されるとともに開閉接点に連結された第１の遮断レバー、
上記第１の遮断レバーを所定方向に回転するように付勢する開路用の蓄勢手段、
第１及び第２のリンク並びに上記第１及び第２のリンクを屈伸可能に連結する連結部を有し上記第１のリンクが上記第１の遮断レバーに連結されたリンク装置、
上記支持構造体に回転可能に支持されるとともに上記第２のリンクに連結された第２の遮断レバー、
上記支持構造体に回転可能にかつ上記第２の遮断レバーと接離可能に支持された投入レバー、
上記投入レバーを上記所定方向と逆方向に回転するように付勢する閉路用の蓄勢手段、
上記投入レバーを係止する投入ラッチ、
上記連結部と当接しながら上記連結部を案内する案内面を有し上記支持構造体に移動可能に支持されたガイド、
上記ガイドを係止する第１の引外しラッチ及び
上記ガイドと連動し上記第２の遮断レバーを係止する第２の引外しラッチ、
を有し、
上記第１の引外しラッチによる上記ガイドの係止を解除すると上記ガイドは上記連結部に押されて移動し上記ガイドと連動する上記第２の引外しラッチによる上記第２の遮断レバーの係止が解除され上記開路用の蓄勢手段の放勢により上記第１の遮断レバーが所定方向に回転駆動されて上記開閉接点を開路するとともに上記第１の遮断レバーが上記所定方向に所定角度回転すると上記ガイドは再び上記第１の引外しラッチにより係止され、
上記投入ラッチによる上記投入レバーの係止を解除すると上記閉路用の蓄勢手段の放勢により上記投入レバーを介して上記第２の遮断レバーが上記所定方向と逆方向に回転駆動され上記リンク装置を介してかつ上記連結部が上記第１の引外しラッチにより係止された上記ガイドの案内面により案内されながら上記第１の遮断レバーを上記所定方向と逆方向に回転させて上記開閉接点を閉路するとともにあわせて上記開路用の蓄勢手段を蓄勢し、上記第２の遮断レバーを上記第２の引外しラッチにより係止することにより上記開路用の蓄勢手段の蓄勢状態及び上記開閉接点の閉路状態を維持する、
開閉器の操作装置。
【請求項２】
投入レバー又は第１の遮断レバーの回転に連動し開閉接点の閉路動作中第１の引外しラッチが動作しないようにする開路動作防止部材を設けたものである、
ことを特徴とする請求項１に記載の開閉器の操作装置。
【請求項３】
引外しトリガを支持構造部材に回転可能に設け、この引外しトリガを回転させることにより第１の引外しラッチによるガイドの係止を解除するものであり、開路動作防止部材は投入レバー又は第１の遮断レバーの回転に連動して移動し開閉接点の閉路動作中上記引外しトリガが回転しないようにするものである、
ことを特徴とする請求項２に記載の開閉器の操作装置。
【請求項４】
第１の遮断レバーの回転に連動し開閉接点の閉路状態において投入ラッチが動作しないようにする閉路動作防止部材を設けたものである、
ことを特徴とする請求項１に記載の開閉器の操作装置。
【請求項５】
投入トリガを支持構造部材に回転可能に設け、この投入トリガを回転させることにより投入ラッチによる投入レバーの係止を解除するものであり、閉路動作防止部材は第１の遮断レバーの回転に連動して移動し開閉接点の閉路状態において上記投入トリガが回転しないようにするものである、
ことを特徴とする請求項４に記載の開閉器の操作装置。
【請求項６】
投入レバー又は第１の遮断レバーの回転に連動し開閉接点の閉路動作中第１の引外しラッチが動作しないようにする開路動作防止部材を設けるとともに、第１の遮断レバーの回転に連動し開閉接点の閉路状態において投入ラッチが動作しないようにする閉路動作防止部材を設けたものである、
ことを特徴とする請求項１に記載の開閉器の操作装置。
【請求項７】
引外しトリガ及び投入トリガを支持構造部材に回転可能に設け、上記引外しトリガを回転させることにより第１の引外しラッチによるガイドの係止を解除するとともに上記投入トリガを回転させることにより投入ラッチによる投入レバーの係止を解除するものであり、開路動作防止部材は投入レバー又は第１の遮断レバーの回転に連動して移動し開閉接点の閉路動作中上記引外しトリガが回転しないようにするものであり、閉路動作防止部材は第１の遮断レバーの回転に連動して移動し開閉接点の閉路状態において上記投入トリガが回転しないようにするものである、
ことを特徴とする請求項６に記載の開閉器の操作装置。
【請求項８】
閉路用の蓄勢手段の放勢中または閉路用の蓄勢手段が放勢状態にあるときに第１の引外しラッチによるガイドの係止が解除された場合に閉路用の蓄勢手段の放勢力を受けとめるストッパを設けたものである、
ことを特徴とする請求項２〜請求項７のいずれか１項に記載の開閉器の操作装置。
【請求項９】
開路用及び閉路用の蓄勢手段は、トーションバーである、
ことを特徴とする請求項１に記載の開閉器の操作装置。
【請求項１０】
開路用及び閉路用の蓄勢手段は、コイルばねである、
ことを特徴とする請求項１に記載の開閉器の操作装置。
【請求項１１】
第１の遮断レバーと第２の遮断レバーとは、支持構造体に設けられた同じ支持軸に回転可能に支持されたものである、
ことを特徴とする請求項１に記載の開閉器の操作装置。
【請求項１２】
第２の遮断レバーと投入レバーとは、支持構造体に設けられた同じ支持軸に回転可能に支持されたものである、
ことを特徴とする請求項１に記載の開閉器の操作装置。
【請求項１３】
第１の遮断レバーと第２の遮断レバーと投入レバーとが、支持構造体に設けられた同じ支持軸に回転可能に支持されたものである、
ことを特徴とする請求項１に記載の開閉器の操作装置。
【請求項１４】
ガイドと第２の引外しラッチとは、支持構造体に設けられた同じ支持軸に回転可能に支持されたものである、
ことを特徴とする請求項１に記載の開閉器の操作装置。
【請求項１５】
第１の遮断レバーと第２の遮断レバーとは支持構造体に設けられた同じ支持軸に回転可能に支持されたものであり、ガイドの案内面は円弧面であってガイドが第１の引外しラッチに係止された状態にあるときに上記円弧面の円弧の中心が上記支持軸の中心に位置するものである、
ことを特徴とする請求項１に記載の開閉器の操作装置。
【請求項１６】
第１の遮断レバーと第２の遮断レバーとは支持構造体に設けられた同じ支持軸に回転可能に支持されたものであり、ガイドの案内面は平面である、
ことを特徴とする請求項１に記載の開閉器の操作装置。
【請求項１７】
リンク装置は、ガイドの案内面に当接し回転しながら案内される回転体を連結部に設けたものである、
ことを特徴とする請求項１５または請求項１６に記載の開閉器の操作装置。
【請求項１８】
閉路用の蓄勢手段は、モータによって駆動されるカムにより投入レバーを駆動する蓄勢装置により蓄勢されるものである、
ことを特徴とする請求項１に記載の開閉器の操作装置。
【請求項１９】
蓄勢装置は、弾性変形しながらカムと摺動してカムを制動する制動部材を設けたものである、
ことを特徴とする請求項１８に記載の開閉器の操作装置。
【請求項２０】
カムと同じ軸に回転可能に投入ラッチを設け、この投入ラッチにより投入レバーを係止することにより閉路用の蓄勢手段を蓄勢状態に保持し上記投入ラッチによる投入レバーの係止を解除することにより閉路用の蓄勢手段を放勢させるものである、
ことを特徴とする請求項１８に記載の開閉器の操作装置。
【請求項２１】
開閉器は遮断器である、
ことを特徴とする請求項１に記載の開閉器の操作装置。
【発明の詳細な説明】
【０００１】
【発明の属する技術分野】
本発明は、例えば変電所や開閉所に設置される遮断器等の開閉器の操作装置に関するものである。
【０００２】
【従来の技術】
開閉器としての遮断器の操作装置の操作力として、ばね力を利用したものが実用化されている。図７０〜図７３は、例えば特開昭６３−３０４５４２号公報に示された従来の遮断器の操作装置を示すもので、図７０は遮断器の操作装置の構成を示す斜視図である。図７１は遮断器の操作装置の要部構成図であり、遮断器が閉路状態にあり、遮断用及び閉路用のトーションバーがともに蓄勢した状態を示す。
【０００３】
図７２は遮断器の操作装置の要部構成図であり、遮断器が開路状態にあり、開路用のトーションバーが放勢し、閉路用のトーションバーが蓄勢した状態を示す。図７３は遮断器の操作装置の要部構成図であり、遮断器が閉路状態にあり、開路用のトーションバーが蓄勢し、閉路用のトーションバーが放勢した状態を示す。
【０００４】
これらの図において、１は筐体、２４は筐体１に固着された筒体、２６，２７は筒体２４の端面に設けられたピン（図示せず）に嵌合されて回転可能なレバーである。２８，３４は開路用のトーションバー、２９，３５は閉路用のトーションバーである。開路用のトーションバー２８は、一端が筐体１に固着され、他端がレバー２６に固着されている。開路用のトーションバー３４は、一端が回転軸３２に固着され（図７１参照）、他端がレバー２６に固着されている。
【０００５】
閉路用のトーションバー２９は、一端が筐体１に固着され、他端がレバー２７に固着されている。閉路用のトーションバー３５は、一端が回転軸３３に固着され（図７１参照）、他端がレバー２７に固着されている。なお、詳細は後述するが、開路用のトーションバー２８，３４を蓄勢しながら閉路用のトーションバー２９，３５が放勢されるので、開路用のトーションバー２８，３４よりも閉路用のトーションバー２９，３５の蓄勢エネルギーは大である。
【０００６】
３７は回転軸３３に固着された投入レバーであり、閉路用のトーションバー２９，３５によって、図７１において反時計方向の回転力が与えられるように構成されている。２は筐体１に支承されたカム軸、３はカム軸２に装着されたカム、１３はカムに設けられた第２ピン、１４は第２ピン１３と係合した投入ラッチである。１５は投入ラッチ１４に係合した投入トリガ、１６は投入電磁石で、プランジャー１７を有する。
【０００７】
３８は筐体１に支承された回転軸であり、モータ（図示せず）で反時計方向に駆動される。３９は回転軸３８に固着された小歯車、４０はカム軸２に固着されて小歯車３９と噛み合うように構成された大歯車で、閉路用のトーションバー２９，３５が蓄勢された状態のとき、小歯車３９との噛み合いが外れるように一部分の歯が欠いてある。４１は投入レバー３７と大歯車４０とを連結したリンクである。
【０００８】
３６は回転軸３２に固着された遮断レバーであり、開路用のトーションバー２８，３４によって反時計方向の回転力が与えられるように構成されている。８及び９は遮断レバー３６に設けられた第１ピン及び回転体である。１８は引外しラッチであり、第１ピン８と係合し、ばね４３によって時計方向の回転力が与えられている。
【０００９】
１９は引外しラッチ１８と係合した引外しトリガ、２０は引外し電磁石で、プランジャー２１を有する。２２は遮断器の可動接触子であり、リンク機構２３を介して遮断レバー３６に連結されている。４２は遮断レバー３６に連結された緩衝器であり、可動接触子２２の開閉動作時の衝撃を緩和する。
【００１０】
次に開路動作について説明する。遮断レバー３６は開路用のトーションバー２８，３４により常時反時計方向の回転力が与えられており、その回転力を引外しラッチ１８及び引外しトリガ１９にて保持されている。この状態で引外し電磁石２０が励磁されるとプランジャー２１が右方向に動作し、引外しトリガ１９が時計方向に回転して、引外しラッチ１８が第１ピン８からの反力により反時計方向に回転する。引外しラッチ１８が第１ピン８から外れると、遮断レバー３６は反時計方向に回転し、可動接触子２２が開路方向に駆動される。この開路動作完了状態が図７２である。
【００１１】
閉路動作は次のように行う。図７２において、カム３はカム軸２、大歯車４０、リンク４１を介して投入レバー３７に連結されており、閉路用のトーションバー２９，３５により時計方向の回転力が与えられている。その回転力を投入ラッチ１４及び投入トリガ１５にて保持している。
【００１２】
この状態にて投入電磁石１６が励磁されるとプランジャー１７が右方向に動作し、投入トリガ１５が時計方向に回転し、投入ラッチ１４が第２ピン１３からの反力により、反時計方向に回転する。投入ラッチ１４が第２ピン１３から外れ、カム３が時計方向に回転し、遮断レバー３６に設けられた回転体９を押し上げるため、遮断レバー３６は開路用のトーションバー２８，３４を時計方向にねじりながら駆動される。
【００１３】
遮断レバー３６が所定角度回転して、可動接触子２２が閉路方向に駆動されると、引外しラッチ１８と第１ピン８が係合し、引外しトリガ１９と引外しラッチ１８が係合する。カム３は回転しながら、引外しラッチ１８と第１ピン８ならびに引外しトリガ１９と引外しラッチ１８の係合が安定するまで、回転体９を介して遮断レバー３６を保持し、その後回転体９との接触が外れる。図７３は閉路動作が完了し、第１ピン８が引外しラッチ１８にて保持された状態である。なお、遮断器の操作装置の動作責務として、図７３の状態から開路する動作である閉路動作直後の再開路動作がある。
【００１４】
閉路用のトーションバー２９，３５の蓄勢動作は次のように行う。図７３に示すように閉路動作完了直後には、閉路用のトーションバー２９，３５は放勢状態にある。モータ（図示せず）によって小歯車３９が反時計方向に回転することにより、大歯車４０が時計方向に回転し、リンク４１、投入レバー３７、回転軸３３を介して、閉路用のトーションバー２９，３５は蓄勢される。
【００１５】
リンク４１の引張荷重方向がカム軸２の中心と交差するデッドポイントを超えた位置でカム軸２は閉路用のトーションバー２９，３５の力によりリンク４１を介して時計方向の回転力が与えられると同時に、大歯車４０の一部の歯が欠いているので、小歯車３９と大歯車４０の係合が外れる。第２ピン１３に投入ラッチ１４が係合され、閉路用のトーションバー２９，３５の力による大歯車４０の時計方向の回転力が保持され、蓄勢動作が完了する。このようにして再び図７１に示す状態に戻る。
【００１６】
【発明が解決しようとする課題】
上記のような従来の遮断器の操作装置では、図７２に示すカム３によって遮断レバー３６が時計方向に回転され、可動接触子２２が閉路方向に駆動される。遮断レバー３６が所定角度回転すると、引外しラッチ１８と第１ピン８が係合するとともに、引外しトリガ１９と引外しラッチ１８が係合する。カム３は、なおも回転しながら、引外しラッチ１８と第１ピン８及び引外しトリガ１９と引外しラッチ１８の係合が安定するまで、回転体９を介して遮断レバー３６を保持し、その後回転体９との接触が外れる。
【００１７】
このように、引外しラッチ１８と第１ピン８及び引外しトリガ１９と引外しラッチ１８の係合は反発運動が発生しやすく、反発が収まり係合が安定するまでの間、カム３によって保持しなければならない。このカム３による保持中は開路動作はできないので、次の開路動作を開始するまでの時間短縮の障害になるという問題があった。
【００１８】
この発明は上記のような問題を解決するためになされたもので、閉路から次の開路動作開始までの時間を短縮できる開閉器の操作装置を得ることを目的とする。
そして、部品数を削減して、また機械的な衝撃の発生を防止して、小形化可能な遮断器の操作装置を得ることを目的とする。
【００１９】
【課題を解決するための手段】
上記目的を達成するため、本発明の開閉器の操作装置においては、支持構造体に回転可能に支持されるとともに開閉接点に連結された第１の遮断レバー、第１の遮断レバーを所定方向に回転するように付勢する開路用の蓄勢手段、第１及び第２のリンク並びに第１及び第２のリンクを屈伸可能に連結する連結部を有し第１のリンクが第１の遮断レバーに連結されたリンク装置、支持構造体に回転可能に支持されるとともに第２のリンクに連結された第２の遮断レバー、支持構造体に回転可能にかつ第２の遮断レバーと接離可能に支持された投入レバー、投入レバーを所定方向と逆方向に回転するように付勢する閉路用の蓄勢手段、投入レバーを係止する投入ラッチ、連結部と当接しながら連結部を案内する案内面を有し支持構造体に移動可能に支持されたガイド、ガイドを係止する第１の引外しラッチ及びガイドと連動し第２の遮断レバーを係止する第２の引外しラッチ、を有し、第１の引外しラッチによるガイドの係止を解除するとガイドは連結部に押されて移動しガイドと連動する第２の引外しラッチによる第２の遮断レバーの係止が解除され開路用の蓄勢手段の放勢により第１の遮断レバーが所定方向に回転駆動されて開閉接点を開路するとともに第１の遮断レバーが所定方向に所定角度回転するとガイドは再び第１の引外しラッチにより係止され、投入ラッチによる投入レバーの係止を解除すると閉路用の蓄勢手段の放勢により投入レバーを介して第２の遮断レバーが所定方向と逆方向に回転駆動されリンク装置を介してかつ連結部が第１の引外しラッチにより係止されたガイドの案内面により案内されながら第１の遮断レバーを所定方向と逆方向に回転させて開閉接点を閉路するとともにあわせて開路用の蓄勢手段を蓄勢し、第２の遮断レバーを第２の引外しラッチにより係止することにより開路用の蓄勢手段の蓄勢状態及び開閉接点の閉路状態を維持する、ようにしたものである。
開閉接点の開路時に第１の遮断レバーが所定方向に所定角度回転した時点でガイドが第１の引外しラッチに係止されるので、すなわち次の閉路動作前に既にガイドが第１の引外しラッチに係止されているので、閉路完了時に第１の引外しラッチがガイドを係止するのを待つことなく直ちに開路動作を開始できる。
【００２０】
そして、投入レバー又は第１の遮断レバーの回転に連動し開閉接点の閉路動作中第１の引外しラッチが動作しないようにする開路動作防止部材を設けたものであることを特徴とする。
閉路途中で誤って第１の引外しラッチが動作してガイドの係止が解除されないように開路動作防止部材により防止することにより、閉路動作中においてガイドの係止が解除され連結部の支えがなくなって開路用の蓄勢手段によって所定方向に回転駆動される第１の遮断レバーと、閉路動作中に投入レバーにより所定方向と逆の方向に回転駆動される第２の遮断レバーと、が衝突して大きな衝撃が発生するおそれをなくすことができる。
【００２１】
さらに、引外しトリガを支持構造部材に回転可能に設け、この引外しトリガを回転させることにより第１の引外しラッチによるガイドの係止を解除するものであり、開路動作防止部材は投入レバー又は第１の遮断レバーの回転に連動して移動し開閉接点の閉路動作中引外しトリガが回転しないようにするものであることを特徴とする。
このように簡易な構成で、閉路動作中に第１の引外しラッチが回転して第１の引外しラッチによるガイドの係止が解除されることがないようにできる。
【００２２】
また、第１の遮断レバーの回転に連動し開閉接点の閉路状態において投入ラッチが動作しないようにする閉路動作防止部材を設けたものであることを特徴とする。
第１の遮断レバーの回転に閉路動作防止部材を機械的に連動させることにより、投入ラッチが動作しないようにすることができる。従って、開路用の蓄勢手段及び閉路用の蓄勢手段がともに蓄勢された状態にあるとき、投入ラッチによる投入レバーの係止が解除されて投入レバーと第２の遮断レバーとが衝突することがないようにして大きな衝撃が発生するのを防止できる。
【００２３】
そして、投入トリガを支持構造部材に回転可能に設け、この投入トリガを回転させることにより投入ラッチによる投入レバーの係止を解除するものであり、投入開路動作防止部材は第１の遮断レバーの回転に連動して移動し開閉接点の閉路状態において投入トリガが回転しないようにするものであることを特徴とする。
このように簡易な構成で、開閉接点の閉路状態において投入トリガが回転して投入ラッチによる投入レバーの係止が解除されることがないようにできる。
【００２４】
さらに、投入レバー又は第１の遮断レバーの回転に連動し開閉接点の閉路動作中第１の引外しラッチが動作しないようにする開路動作防止部材を設けるとともに、第１の遮断レバーの回転に連動し開閉接点の閉路状態において投入ラッチが動作しないようにする閉路動作防止部材を設けたものであることを特徴とする。
閉路途中で誤って第１の引外しラッチが動作してガイドの係止が解除されないように開路動作防止部材により防止することにより、閉路動作中においてガイドの係止が解除され連結部の支えがなくなって開路用の蓄勢手段によって所定方向に回転駆動される第１の遮断レバーと、閉路動作中に投入レバーにより所定方向と逆の方向に回転駆動される第２の遮断レバーと、が衝突して大きな衝撃が発生するおそれをなくすことができる。
また、第１の遮断レバーの回転に閉路動作防止部材を機械的に連動させることにより、投入ラッチが動作しないようにすることができる。従って、開路用の蓄勢手段及び閉路用の蓄勢手段がともに蓄勢された状態にあるとき、投入ラッチによる投入レバーの係止が解除されて投入レバーと第２の遮断レバーとが衝突することがないようにして大きな衝撃が発生するのを防止できる。
【００２５】
また、引外しトリガ及び投入トリガを支持構造部材に回転可能に設け、引外しトリガを回転させることにより第１の引外しラッチによるガイドの係止を解除するとともに投入トリガを回転させることにより投入ラッチによる投入レバーの係止を解除するものであり、開路動作防止部材は投入レバー又は第１の遮断レバーの回転に連動して移動し開閉接点の閉路動作中引外しトリガが回転しないようにするものであり、閉路動作防止部材は第１の遮断レバーの回転に連動して移動し開閉接点の閉路状態において投入トリガが回転しないようにするものであることを特徴とする。
このように簡易な構成で、閉路動作中に第１の引外しラッチが回転して第１の引外しラッチによるガイドの係止が解除されたり、開閉接点の閉路状態において投入トリガが回転して投入ラッチによる投入レバーの係止が解除されたりすることがないようにして、大きな衝撃が発生するのを防止できる。
【００２６】
また、閉路用の蓄勢手段の放勢中または閉路用の蓄勢手段が放勢状態にあるときに第１の引外しラッチによるガイドの係止が解除された場合に閉路用の蓄勢手段の放勢力を受けとめるストッパを設けたものである、ことを特徴とする。
阻止部材を設けても閉路完了直後に開路可能であるので、閉路完了直後に開路した場合、閉路動作後になお残っている閉路用の蓄勢手段の放勢力をストッパで受けとめることにより、衝突による過大な衝撃の発生を防止できる。
【００２７】
そして、開路用及び閉路用の蓄勢手段は、トーションバーである、ことを特徴とする。
トーションバーを用いることにより、エネルギー効率がよい、応力集中がない蓄勢手段を実現できる。
【００２８】
さらに、開路用及び閉路用の蓄勢手段は、コイルばねである、ことを特徴とする。
コイルばねを用いることにより、コンパクトな蓄勢手段を実現できる。
【００２９】
また、第１の遮断レバーと第２の遮断レバーとは、支持構造体に設けられた同じ支持軸に回転可能に支持されたものである、ことを特徴とする。
各遮断レバーを個々に支持しなくてよいので、部品点数が減少し、構造が簡素化される。
【００３０】
そして、第２の遮断レバーと投入レバーとは、支持構造体に設けられた同じ支持軸に回転可能に支持されたものである、ことを特徴とする。
第２の遮断レバーと投入レバーとを個々に支持しなくてよいので、部品点数が減少し、構造が簡素化される。
【００３１】
さらに、第１の遮断レバーと第２の遮断レバーと投入レバーとが、支持構造体に設けられた同じ支持軸に回転可能に支持されたものである、ことを特徴とする。
第１の遮断レバー、第２の遮断レバー及び投入レバーを個々に支持しなくてよいので、さらに部品点数が減少し、構造が簡素化される。
【００３２】
また、ガイドと第２の引外しラッチとは、支持構造体に設けられた同じ支持軸に回転可能に支持されたものである、ことを特徴とする。
第２の引外しラッチと投入レバーとを個々に支持しなくてよいので、部品点数が減少し、構造が簡素化される。
【００３３】
そして、第１の遮断レバーと第２の遮断レバーとは支持構造体に設けられた同じ支持軸に回転可能に支持されたものであり、ガイドの案内面は円弧面であってガイドが第１の引外しラッチに係止された状態にあるときに円弧面の円弧の中心が支持軸の中心に位置するものである、ことを特徴とする。
簡単な構成で連結部の移動軌跡を制御できる。
【００３４】
さらに、第１の遮断レバーと第２の遮断レバーとは支持構造体に設けられた同じ支持軸に回転可能に支持されたものであり、ガイドの案内面は平面である、
ことを特徴とする。
案内面の加工が容易であり、閉路動作開始時あるいは終了時に第１の遮断レバーに伝達される閉路用の蓄勢手段のトルクを増大させることができる。
【００３５】
また、リンク装置は、ガイドの案内面に当接し回転しながら案内される回転体を連結部に設けたものである、ことを特徴とする。
連結部がガイドに案内されるときの摩擦抵抗が小さくなり、開閉接点を閉路し開路用の蓄勢手段を蓄勢するとき、閉路用の蓄勢手段の蓄勢エネルギーを第１の遮断レバーに有効に伝達できる。
【００３６】
そして、閉路用の蓄勢手段は、モータによって駆動されるカムにより投入レバーを駆動する蓄勢装置により蓄勢されるものである、ことを特徴とする。
カムの形状を制御して閉路用の蓄勢手段の蓄勢時におけるモータの負荷トルクを制御でき、蓄勢装置の部品に加わる最大トルクも低減できる。
【００３７】
さらに、蓄勢装置は、弾性変形しながらカムと摺動してカムを制動する制動部材を設けたものである、ことを特徴とする。
慣性によって回転しているカムを制動して迅速に停止できる。
【００３８】
また、カムと同じ軸に回転可能に投入ラッチを設け、この投入ラッチにより投入レバーを係止することにより閉路用の蓄勢手段を蓄勢状態に保持し投入ラッチによる投入レバーの係止を解除することにより閉路用の蓄勢手段を放勢させるものである、ことを特徴とする。
投入ラッチを支持する軸を別に設けなくてよく、部品点数が減少する。
【００３９】
そして、開閉器は遮断器である、ことを特徴とする。
このような操作装置は、遮断器に用いて好適である。
【００４０】
【発明の実施の形態】
実施の形態１．
この発明の実施の形態１による遮断器の操作装置を、図について説明する。図１〜図９は、この発明の実施の形態１による遮断器の操作装置を示すもので、図１は遮断器の操作装置の要部構成図であり、遮断器が閉路状態で、投入用及び開路用のトーションバーがともに蓄勢した状態を示す。図２は遮断器の操作装置の要部構成図であり、閉路用のトーションバーを蓄勢する蓄勢装置の要部構成図である。
【００４１】
図３は開路用のトーションバー及び第１の遮断レバー近傍を図１の左側方から見て示す側面図、図４は閉路用のトーションバー及び投入レバー近傍を図１の左側方から見て示す側面図である。図５は遮断器の操作装置の要部構成図であり、図１の状態から開路動作をする途中の状態を示す。図６は遮断器の操作装置の要部構成図であり、図５の状態から開路動作が完了し、閉路用のトーションバーが蓄勢しており、開路用のトーションバーが放勢した状態を示す。
【００４２】
図７は遮断器の操作装置の要部構成図であり、遮断器が閉路状態で、閉路用のトーションバーが放勢し、開路用のトーションバーが蓄勢した状態を示す。図８は遮断器の操作装置の要部構成図であり、高速再閉路動作の直後に２度目の開路動作を完了した状態で、遮断器が開路状態で、投入用及び開路用のトーションバーがともに放勢した状態を示す。図９は、図８の切断線ＣーＣにおける断面図である。
【００４３】
まず、図３によって、開路用の蓄勢手段としてのトーションバーの構成について説明する。２６は筒体（図示しない、図７０の筒体２４参照）の端面に設けられたピン（図示せず）に嵌合されて回転可能なレバー、２８，３４は開路用のトーションバーである。開路用のトーションバー２８は、一端が筐体１に固着されるとともに他端がレバー２６に固着されており、開路用のトーションバー３４は一端が後述の主軸５１の内部において主軸５１に固着され他端がレバー２６に固着されている。
【００４４】
次に、図４によって、閉路用の蓄勢手段としてのトーションバーについて説明する。２７は筒体（図示しない、図６９の筒体２４参照）の端面に設けられたピン（図示せず）に嵌合されて回転可能なレバー、２９，３５は閉路用のトーションバーである。閉路用のトーションバー２９は、一端が筐体１に固着されるとともに他端がレバー２７に固着されており、閉路用のトーションバー３５は一端が後述の投入軸１０９の内部に固着され他端がレバー２７に固着されている。
【００４５】
なお、詳細は後述するが、閉路用のトーションバー２９，３５の放勢力により開路用のトーションバー２８，３４を蓄勢するので、閉路用のトーションバー２９，３５の蓄勢エネルギーを開路用のトーションバー２８，３４のそれよりも大きくしている。
【００４６】
さて、これから図１〜図９を参照しながら遮断器の操作装置全体の説明をする。これらの図において、５１は主軸であり、筐体（図１等では図示せず、図７０の筐体１参照）に回転可能に支持されている。そして、主軸５１の内部において開路用のトーションバー３４の一端が主軸５１に溶接により固着されている（特に、図３を参照）。５２は主軸５１に固着された第１の遮断レバーであり、開路用のトーションバー３４，２８により図１における反時計方向のトルクが作用している。以下、回転方向や左右上下の方向は特に断らない限り、図示を基準にいうものとする。
【００４７】
５３は第１のリンク、５４は第２のリンクである。５５は主軸５１回りに回転可能に設けた第２の遮断レバーであり、主軸５１に回転可能に支持されている（特に、図３を参照）。５６は第１の遮断レバー５２と第１のリンク５３を連結するピンである。５７は第１のリンク５３と第２のリンク５４を連結するピンである。５８は第２のリンク５４と第２の遮断レバー５５を連結するピン、５９はピン５７に設けられた回転体である。第１及び第２のリンク５３，５４を屈伸自由な連結部４７ａを形成するようにピン５７によって連結し、これら第１及び第２のリンク５３，５４、ピン５７、ピン５７に設けられた回転体５９がリンク装置４７を構成している。
【００４８】
１０は遮断器の主回路の開閉接点、１２は遮断器の固定接触子、２２は可動接触子であり、両接触子１２，２２により開閉接点１０を構成している。２３はリンク機構であり、可動接触子２２がリンク機構２３を介して第１の遮断レバー５２に連結されている。４２は緩衝器、６１はロッドであり、緩衝器４２はロッド６１を介して第１の遮断レバー５２に連結されている。
【００４９】
６２はガイドであり、案内面としての円弧面６２ａと、ガイド６２の本体部に固着されたピン６２ｂを有しており、ピン６２ｂは後述の第２の引外しラッチ６７と係合可能にされている。６３は回転軸であり、ガイド６２を回転可能に支持している。そして、円弧面６２ａの円弧の中心は、ガイド６２が後述の第１の引外しラッチ６９に係止されているとき主軸５１の軸心上にある。６４は第２の遮断レバー５５に設けられたピンである。
【００５０】
６５はばねであり、ガイド６２を回転軸６３回りに時計方向に回転するように付勢する。６６はガイド６２に設けられたピンである。６７は第２の引外しラッチであり、先端部斜面６７ａ及び角６７ｂを有し、回転軸６３回りに回転可能に取付けられており、第２の遮断レバー５５に設けられたピン６４と係合する。６８はばねであり、第２の引外しラッチ６７を回転軸６３回りに時計方向に回転するように付勢する。６９は第１の引外しラッチ、７０は回転軸である。第１の引外しラッチ６９は回転軸７０回りに回転可能に取付けられており、ピン６６に係合する。
【００５１】
７１は第１の引外しラッチ６９に設けられたピン、７２はばね、７３は引外しトリガ、７４は回転軸である。ばね７２は、第１の引外しラッチ６９を回転軸７０回りに時計方向に回転するように付勢する。引外しトリガ７３は回転軸７４回りに回転可能に取付けられており、引外しトリガ７３はピン７１に係合する。７５はばねであり、引外しトリガ７３を回転軸７４回りに反時計方向に回転するように付勢する。２０は引外し電磁石で、プランジャー２１を有する。
【００５２】
７６は投入レバーであり、主軸５１回りに回転可能に設けられ、主軸５１を介して筐体に支持されている。１０９は投入軸であり、筐体に回転可能に支持されている。そして、投入軸１０９の内部に閉路用のトーションバー３５の一端が固着されている（図４を参照）。１１０は投入軸１０９に固着されたレバーである。１１１は投入リンク、１１２はピンであり、投入リンク１１１は投入レバー７６に連結されるとともに、ピン１１２によりレバー１１０に連結されている。レバー１１０は閉路用のトーションバー３５，２９により時計方向のトルクを受けており、リンク１１１を介して投入レバー７６も時計方向のトルクを受けている。
【００５３】
７９は投入ラッチ、８０は回転軸であり、投入ラッチ７９は回転軸８０回りに回転可能に取付けられている。８１はばねであり、投入ラッチ７９を回転軸８０回りに反時計方向に回転するように付勢する。８２は投入レバー７６に設けられたピンで、投入ラッチ７９に係合する。８３は投入トリガ、８４は回転軸であり、投入トリガ８３は回転軸８４回りに回転可能に取付けられている。８５はばねであり、投入トリガ８３を回転軸８４回りに時計方向に回転するように付勢する。８６は投入ラッチ７９に設けられたピンで、投入トリガ８３に係合する。８７は投入レバー７６に固着されたピンであり、投入レバー７６の回転にともない第２の遮断レバー５５と接離する。１６は投入電磁石で、プランジャー１７を有する。
【００５４】
次に、閉路用のトーションバー２９，３５を蓄勢する蓄勢装置の構成を説明する。蓄勢装置の要部の構成を示す図２において、８８はレバーであり、投入レバー７６と一体になって回転するように投入レバー７６に固着して主軸５１回りに回転可能に取付けられている。８９はレバー８８に取付けられた第２の回転体である。実線で示したレバー８８及び第２の回転体８９の位置は、閉路用のトーションバー２９，３５が蓄勢状態にあるときの位置である。閉路用のトーションバー２９，３５が放勢すると、レバー８８及び第２の回転体８９はそれぞれ破線で示した位置に移動する。
【００５５】
９０はカム軸、９１はカムで、カム９１をカム軸９０回りに回転させると第２の回転体８９に当接する。９２はカムに固着した大歯車、９３は大歯車９２と噛み合うように構成された小歯車であり、減速器を介してモータ（いずれも図示せず）により時計方向に回転駆動される。９４は弾性体であり、端部９４ａが固定され、カム９１がカム軸９０回りに回転するときにカム９１の外周部の一部に弾性変形しながら摺動し、カム９１の回転を制動する。
【００５６】
ここで、図９により第１の遮断レバー５２とピン５７との位置関係について補足説明をする。図９は、図８の切断線Ｃ−Ｃにおける断面図（但し、主要部だけを図示し他は省略している）であるが、第１の遮断レバー５２と両側に設けられた板状の第１のリンク５３とはピン５６により回転可能に連結されている。２枚の板状の第２の遮断レバー５５は、主軸５１に回転可能に支持されるとともにピン５８により第２のリンク５４に回転可能に連結されている。そして、図８に示す遮断用及び閉路用のトーションバー２８，３４，２９，３５がともに放勢した状態では、ピン５８が第１の遮断レバー５２に当接して停止している。ピン５８の動作については、後述する。
【００５７】
以上のような遮断器の操作装置は、閉路状態から開路、再閉路、再開路を、決められた時間内に行う責務を有する。以下、この動作を順に説明する。
図１は遮断器が閉路状態であるときを示し、第１の遮断レバー５２は蓄勢した開路用のトーションバー２８，３４により反時計方向の回転力が与えられている。一方、第２の遮断レバー５５はピン６４が第２の引外しラッチ６７に係合することによって係止されている。
【００５８】
このため、第１のリンク５３及び第２のリンク５４が第１の遮断レバー５２と第２の遮断レバー５５の両者から力を受けるので、リンク装置４７の連結部４７ａに設けられた回転体５９には、ガイド６２の円弧面６２ａを押す方向の力が生じている。このとき、ガイド６２に回転軸６３回りの反時計方向の回転力が生じるが、ガイド６２は第１の引外しラッチ６９がピン６６に係合することによって係止され、第１の引外しラッチ６９は引外しトリガ７３がピン７１に係合することによって保持されているので、ガイド６２は回転しない。
【００５９】
まず、開路動作について説明する。図１の閉路状態で、開路指令により引外し電磁石２０が励磁されるとプランジャー２１が右方向に動作し、引外しトリガ７３がばね７５に抗して回転軸７４回りに時計方向に回転する。すると、引外しトリガ７３とピン７１との係合が外れ、第１の引外しラッチ６９がガイド６２のピン６６からの反力により反時計方向に回転する。第１の引外しラッチ６９が反時計方向に回転しピン６６から外れると、回転体５９が円弧面６２ａを押しているので、ガイド６２はばね６５に抗して反時計方向に回転を始め、開路用のトーションバー２８，３４からトルクを受けている第１の遮断レバー５２が反時計方向の回転を開始する。
【００６０】
このとき同時にガイド６２のピン６２ｂが第２の引外しラッチ６７を押して、第２の引外しラッチ６７はばね６８に抗して反時計方向に回転し、第２の引外しラッチ６７による第２の遮断レバー５５に設けられたピン６４の係合が外れて、第２の遮断レバー５５の係止の解除が開始される。このときの状態が、図５である。
【００６１】
以下、主として図５を参照しながら、開路動作が完了するまでの過程を説明する。
第２の引外しラッチ６７による第２の遮断レバー５５の係止が外れると、第２の遮断レバー５５が回転可能になるとともに、ガイド６２がばね６５により時計方向回転を開始して、回転体５９を押し戻し始める。このとき、第１の遮断レバー５２は反時計方向の回転を続けているので、回転可能となった第２の遮断レバー５５も反時計方向の回転を開始する。
【００６２】
そして、第２の遮断レバー５５が最終的に投入レバー７６のピン８７に当接して停止し、第２の遮断レバー５５とピン８７の位置関係は図６に示す状態になる。すなわち、第１の遮断レバー５２は所定回転角に達して停止し、可動接触子２２が固定接触子１２から開離するとともに開路動作が完了する。
【００６３】
また、ガイド６２は、ばね６５により時計方向に押されているので、第２の遮断レバー５５が反時計方向に回転するとき回転体５９と当接しながらピン６６が第１の引外しラッチ６９に係合するまで時計方向に回転した後、ストッパー（図示せず）に当接して停止する。同時に、第１の引外しラッチ６９がばね７２の作用によって時計方向に回転してピン６６に係合し、引外しトリガ７３がばね７５の作用によって反時計方向に回転して第１の引外しラッチ６９のピン７１に係合する。このようにしてガイド６２が係止される。すなわち、開路動作の完了時には、ガイド６２が第１の引外しラッチ６９に係止された状態になっている。この状態が図６である。
【００６４】
次に再閉路動作について説明する。図６は開路動作が完了し、閉路用のトーションバー２９，３５が蓄勢し、開路用のトーションバー２８，３４が放勢した状態であり、この状態においては投入レバー７６はリンク１１１を介して閉路用のトーションバー２９，３５により常時時計方向の回転力が与えられている。投入レバー７６はピン８２が投入ラッチ７９に係合することによって係止され、投入ラッチ７９は投入トリガ８３がピン８６に係合することによって係止され、閉路用のトーションバー２９，３５が蓄勢状態に保持される。
【００６５】
閉路指令により投入電磁石１６が励磁されるとプランジャー１７が右方向に動作し、投入トリガ８３がばね８５に抗して回転軸８４回りに反時計方向に回転し、投入トリガ８３とピン８６との係合が外れ、投入ラッチ７９が投入レバー７６のピン８２からの反力により時計方向に回転する。投入ラッチ７９が時計方向に回転しピン８２から外れると、閉路用のトーションバー２９，３５からトルクを受けている投入レバー７６が時計方向に回転を始めると同時に、ピン８７が第２の遮断レバー５５に当接して、第２の遮断レバー５５がピン８７に押されて時計方向の回転を開始する。
【００６６】
ガイド６２は第１の引外しラッチ６９によって係止されており、回転体５９はガイド６２の円弧面６２ａに当接し回転しながら移動するため、主軸５１を中心とした円弧の軌跡を描く運動しかできないので、第２のリンク５４、回転体５９、第１のリンク５３及び第１の遮断レバー５２が一体となって、第２の遮断レバー５５の回転に連動して、主軸５１の回りに時計方向に回転し、可動接触子２２が閉路方向に駆動される。同時に、第１の遮断レバー５２に一端が固定された開路用のトーションバー２８，３４が時計方向にねじられ蓄勢される。
【００６７】
なお、投入レバー７６が時計方向に回転するとき、最初はピン８２が投入ラッチ７９と摺動しながら移動して投入ラッチ７９がばね８１に押されて反時計方向に回転しようとするのを阻止し、投入レバー７６が所定角度時計方向に回転して投入ラッチ７９との係合が外れると、投入ラッチ７９は図示しないストッパに当接して図７に示す状態以上に反時計方向に回転しない。
【００６８】
第２の遮断レバー５５は回転を続け、第２の遮断レバー５５に設けられたピン６４が第２の引外しラッチ６７の先端部斜面６７ａに当接して、第２の引外しラッチ６７が反時計方向に回転する。そして、ピン６４が角６７ｂを越えると、ばね６８の作用により第２の引外しラッチ６７が時計方向に回転して、第２の遮断レバー５５に設けられたピン６４と係合する。同時に、第１の遮断レバー５２が投入レバー７６に設けられたピン８７に押されて所定回転角に達した状態になり、閉路動作及び開路用のトーションバー２８，３４の蓄勢動作は完了する。この状態が図７である。
【００６９】
なお、後述する閉路用のトーションバー２９，３５の蓄勢時に投入レバー７６が反時計方向に回転され、ピン８７が第２の遮断レバー５５から離れても、第２の引外しラッチ６７によりピン６４が係止されているので、開路用のトーションバー２８，３４は蓄勢状態に保持される。
【００７０】
次に、再開路動作について説明する。図７の閉路状態で、開路指令により引外し電磁石２０が励磁されるとプランジャ２１が右方向に動作し、引外しトリガ７３はばね７５に抗して回転軸７４回りに時計方向に回転する。引外しトリガ７３が回転すると、引外しトリガ７３とピン７１との係合が外れ、第１の引外しラッチ６９がガイド６２のピン６６からの反力により反時計方向に回転する。
【００７１】
第１の引外しラッチ６９が反時計方向に回転しピン６６から外れると、回転体５９が円弧面６２ａを押しているので、ガイド６２はばね６５に抗して反時計方向に回転を始める。ガイド６２が反時計方向に回転を始めると、ガイド６２による回転体５９の支えがなくなるので、開路用のトーションバー２８，３４からトルクを受けている第１の遮断レバー５２が反時計方向に回転を開始し、可動接触子２２が開路方向に駆動される。
【００７２】
このとき同時にガイド６２のピン６２ｂが第２の引外しラッチ６７を押して、第２の引外しラッチ６７がばね６８に抗して反時計方向に回転し、第２の引外しラッチ６７と第２の遮断レバー５５に設けられたピン６４との係合が外れる。第２の引外しラッチ６７によるピン６４の係止が外れると、第２の遮断レバー５５は回転可能になるが、図１の閉路用のトーションバーが蓄勢した状態から開路するときと異なり、第２の遮断レバー５５が投入レバー７６に設けられたピン８７に当接しているので、回転せず停止している。
【００７３】
第１の遮断レバー５２は反時計方向に回転するので、第１及び第２の遮断レバー５２，５５を連結しているリンク装置４７の連結部４７ａが屈折し、最終的に第１の遮断レバー５２がピン５８に当接して停止する。このとき、可動接触子２２が固定接触子１２から完全に開離し、開路動作は完了する。この状態が図８である。
【００７４】
なお、厳密には、図７の状態では閉路用のトーションバー２９，３５によるトルクを投入レバー７６、第２の遮断レバー５５、リンク装置４７及び第１の遮断レバー５２等を介して緩衝器４２内の図示しないストッパで受けているため、第１の引外しラッチ６９によるピン６６の係止がなくなり、ガイド６２が反時計方向に回転を始めて、ガイド６２による回転体５９の支えがなくなると、閉路用のトーションバー２９，３５の蓄勢力によりピン８７を介して第２の遮断レバー５５が若干時計方向に押し戻された状態で停止する。この状態で、第１の遮断レバー５２が反時計方向に回転するので、リンク装置４７の連結部４７ａが屈折し、第１の遮断レバー５２がピン５８に当接して停止する。
【００７５】
次に、閉路用のトーションバー２９，３５の蓄勢動作について説明する。図７または図８の閉路用のトーションバー２９，３５が放勢した状態から蓄勢する。図２に破線で示すレバー８８及び第２の回転体８９は、閉路用のトーションバー２９，３５が放勢状態のときの位置である。蓄勢指令により、モータによって減速器（ともに図示せず）を介して小歯車９３が時計方向に回転し、大歯車９２及びカム９１は反時計方向に回転する。
【００７６】
当初、カム９１が弾性体９４を押し上げ弾性変形させるが、やがて弾性体９４と離れ、さらに破線で示す位置にある第２の回転体８９を押してレバー８８を主軸５１回りに反時計方向に回転させ、同時にレバー８８と一体となった投入レバー７６も主軸５１回りに反時計方向に回転される。投入レバー７６が反時計方向に回転されることにより、投入リンク１１１及びレバー１１０を介して投入軸１０９に一端が固着された閉路用のトーションバー２９，３５が反時計方向にねじられ、蓄勢される。
【００７７】
また、投入レバー７６が反時計方向に回転される途中からピン８２が投入ラッチ７９の端面と当接し摺動しながら移動し、第２の回転体８９が図２の鎖線で示す位置から実線で示す位置までくると、投入ラッチ７９がばね８１によって反時計方向に回転して投入レバー７６に設けられたピン８２に係合する。さらに、投入トリガ８３がばね８５によって時計方向に回転してピン８６に係合し、投入レバー７６が保持されて、閉路用のトーションバー２９，３５が蓄勢状態に維持される。
【００７８】
なお、投入レバー７６が反時計方向に回転するとピン８７も移動するので、第２の遮断レバー５５が反時計方向に回転できるようになるが、図７の状態から閉路用のトーションバー２９，３５を蓄勢する場合は第２の引外しラッチ６７によって第２の遮断レバー５５が係止されるのでわずかに反時計方向に回転して停止し、図８の状態から閉路用のトーションバー９，３５を蓄勢する場合は、ばね６５がガイド６２を介して回転体５９を主軸５１に向かって押すことにより第２の遮断レバー５５が反時計方向に回転する。
【００７９】
なお、図８の状態から閉路用のトーションバー２９，３５を蓄勢する場合は、閉路用のトーションバー２９，３５の蓄勢にともない投入レバー７６及びピン８７が反時計方向に回転するので、これに追随して第２の遮断レバー５５も反時計方向に回転する。そして、回転体５９に押されていたガイド６２が、ばね６５の力により時計方向に回転して復帰し、第１の引外しラッチ６９及び引外しトリガ７３によって係止される。
【００８０】
この後、モータによる駆動は中止されるがカム９１は慣性力により回転を続け、カム９１の外周部の一部が弾性体９４を弾性変形させながら摺動し制動されてカム９１の回転が止まり、閉路用のトーションバー２９，３５の蓄勢動作が終了し、図７の状態から蓄勢した場合は図１の状態に、図８の状態から蓄勢した場合は図６の状態になる。この状態が図６であり、蓄勢装置については図２においてレバー８８、第２の回転体８９及びカム９１は実線で示す位置にある。
【００８１】
図６の状態で投入ラッチ７９によるピン８２の係止を解除し、閉路用のトーションバー２９，３５を放勢して閉路動作を行うと図７に示すように開路用のトーションバー２８，３４が蓄勢され、可動接触子２２が固定接触子１２に接触し遮断器が閉路する。さらに、モータ（図示せず）により閉路用のトーションバー２９，３５を蓄勢すると、図１に示すように、遮断器が閉路状態で、閉路用のトーションバー２９，３５及び開路用のトーションバー２８，３４がともに蓄勢した状態に戻る。
【００８２】
この実施の形態１に係る遮断器の操作装置は、以上のように構成されているので、閉路動作前に第１の引外しラッチ６９がすでにガイド６２を係止しているので、ガイド６２と第１の引外しラッチ６９との係合及び第１の引外しラッチ６９と引外しトリガ７３の係合の反発が収まり安定するまで待つ必要がなく、閉路完了後直ちに再開路動作を開始でき、開閉器の動作性能を向上させることができる。
【００８３】
そして、第１の引外しラッチ６９によるガイド６２の係止を解除すれば、投入レバー７６の位置や第２の引外しラッチ６７と第２の遮断レバー５５との係合状態に関係なく、回転体５９が左方へ移動して第１の遮断レバー５２が反時計方向に回転するので、閉路動作中いつでも開路動作に移行できる。
【００８４】
さらに、第１の引外しラッチ６９によるピン６６の係止が解除された状態にあれば、投入トリガ８３が誤って励磁されて投入ラッチによる投入レバー７６の係止が解除され、第２の遮断レバー５５が閉路用のトーションバーによって時計方向に駆動されても、第１の遮断レバー５２は閉路に至るほどは回転しないので、遮断器が瞬間的といえども閉じるおそれはない。
【００８５】
また、第１の遮断レバー５２、第２の遮断レバー５５及び投入レバー７６が同一の主軸５１に回転可能に支持されており、また第２の引外しラッチ６７とガイド６２が同一の回転軸６３に支持されているので、部品点数が減少し、構造が簡素化され、装置を小形化できる。
【００８６】
さらに、ガイド６２の円弧面６２ａで連結部４７ａを案内するため、連結部４７ａの移動軌跡を制御する構成が簡単になる。また、連結部４７ａがガイド６２に案内されるとき回転体が回転するので摩擦抵抗が小さくなり、遮断器を閉路し開路用のトーションバー２８，３４を蓄勢するとき、閉路用のトーションバー２９，３５によるトルクを第１の遮断レバー５２に有効に伝達できる。なお、トーションバーはトーションバー自体の極慣性モーメントしか持たないのでエネルギー効率がよい、応力集中がない等の利点があり、大きなエネルギーを要する比較的大形の遮断器等の操作装置に特に適している。
【００８７】
また、蓄勢装置はレバー８８に取付けられた第２の回転体８９をカム９１により駆動する構成としたので、カム９１の形状を制御して閉路用のトーションバー２９，３５の蓄勢時におけるモータの負荷トルクを一定にでき、蓄勢装置の部品に加わる最大トルクも低減できるので、蓄勢装置の部品ひいては蓄勢装置を小形化できる。また、弾性変形しながらカム９１と摺動する弾性体９４によりカム９１を制動するようにしたので、慣性によって回転しているカム９１を迅速に停止できる。
【００８８】
実施の形態２．
さらに、この発明の実施の形態２による遮断器の操作装置を、図１０〜図１４について説明する。図１０は遮断器の操作装置の要部構成図であり、遮断器が閉路状態で、閉路コイルばね及び開路コイルばねがともに蓄勢した状態を示す。図１１は遮断器の操作装置の要部構成図であり、図１０の状態から開路動作をする途中の状態を示す。
【００８９】
図１２は遮断器の操作装置の要部構成図であり、図１１の状態から開路動作が完了し、閉路コイルバネが蓄勢しており、開路コイルばねが放勢した状態を示す。図１３は遮断器の操作装置の要部構成図であり、遮断器が閉路状態で、閉路コイルばねが放勢し、開路コイルばねが蓄勢した状態を示す。図１４は遮断器の操作装置の要部構成図であり、高速再閉路動作の直後に２度目の開路動作を完了した状態で、遮断器が開路状態で、閉路コイルばね及び開路コイルばねがともに放勢した状態を示す。
【００９０】
この実施の形態２は、図１における開路用のトーションバー２８、３４の代わりに開路コイルばね６０を用い、閉路用のトーションバー２９、３５の代わりに閉路コイルばね７７を用いたものである。
【００９１】
これらの図において、５１は図示しない筐体に固着された主軸、５２は主軸５１回りに回転可能に設けた第１の遮断レバーである。５３は第１のリンク、５４は第２のリンク、５５は主軸５１回りに回転可能に設けた第２の遮断レバーである。５６は第１の遮断レバー５２と第１のリンク５３を連結するピン、５７は第１のリンク５３と第２のリンク５４を連結するピンである。
【００９２】
５８は第２のリンク５４と第２の遮断レバー５５を連結するピン、５９はピン５７に設けられた回転体である。第１及び第２のリンク５３，５４を屈伸自由な連結部４７ａを形成するようにピン５７によって連結し、これら第１及び第２のリンク５３，５４、ピン５７、ピン５７に設けられた回転体５９がリンク装置４７を構成している。
【００９３】
１０は遮断器の主回路の開閉接点、１２は遮断器の固定接触子、２２は可動接触子であり、両接触子１２，２２により開閉接点１０を構成している。２３はリンク機構であり、可動接触子２２がリンク機構２３を介して第１の遮断レバー５２に連結されている。４２は緩衝器、６０は開路用の蓄勢手段としての開路コイルばね、６１はロッドであり、開路コイルばね６０及び緩衝器４２はロッド６１を介して第１の遮断レバー５２に連結されている。なお、閉路コイルばね７７により開路コイルばね６０を蓄勢するために、閉路コイルばね７７の蓄勢エネルギーを開路コイルばね６０のそれよりも大きくしている。
【００９４】
６２はガイドであり、案内面としての円弧面６２ａと、ガイド６２の本体部に固着されたピン６２ｂを有しており、ピン６２ｂは後述の第２の引外しラッチ６７と係合可能にされている。６３は回転軸であり、ガイド６２を回転可能に支持している。そして、円弧面６２ａの円弧の中心は、ガイド６２が後述の第１の引外しラッチ６９に係止されているとき主軸５１の軸心上にある。６４は第２の遮断レバー５５に設けられたピンである。
【００９５】
６５はばねであり、ガイド６２を回転軸６３回りに時計方向に回転するように付勢する。６６はガイド６２に設けられたピンである。６７は第２の引外しラッチであり、先端部斜面６７ａ及び角６７ｂを有し、回転軸６３回りに回転可能に取付けられており、遮断レバー５５に設けられたピン６４と係合する。６８はばねであり、第２の引外しラッチ６７を回転軸６３回りに時計方向に回転するように付勢する。６９は第１の引外しラッチ、７０は回転軸である。第１の引外しラッチ６９は回転軸７０回りに回転可能に取付けられており、ピン６６に係合する。
【００９６】
７１は第１の引外しラッチ６９に設けられたピン、７２はばね、７３は引外しトリガ、７４は回転軸である。ばね７２は、第１の引外しラッチ６９を回転軸７０回りに時計方向に回転するように付勢する。引外しトリガ７３は回転軸７４回りに回転可能に取付けられており、引外しトリガ７３はピン７１に係合する。７５はばねであり、引外しトリガ７３を回転軸７４回りに反時計方向に回転するように付勢する。２０は引外し電磁石で、プランジャー２１を有する。
【００９７】
７６は投入レバーであり、主軸５１回りに回転可能に設けている。７７は閉路用の蓄勢手段としての閉路コイルばね、７８はロッドであり、閉路コイルばね７７はロッド７８等を介して投入レバー７６に連結されていて、投入レバー７６を主軸５１回りに時計方向に回転するように付勢する。
【００９８】
また、図示しないが実施の形態１において説明した蓄勢装置の主軸５１回りに回転可能に取り付けられたレバー８８と同様のレバーが、上記投入レバー７６と一体になるように固着して主軸５１回りに回転可能に取り付けられている。１０９は筐体（図示せず）に固定された投入軸、１１０は投入軸１０９に回転可能に支持されたレバーである。１１１は投入リンクであり、投入レバー７６に連結している。１１２はピンであり、投入リンク１１１とレバー１１０とロッド７８とを連結している。レバー１１０は、閉路コイルばね７７が投入リンク１１１を介して投入レバー７６を駆動するときのガイドとして働く。
【００９９】
８１はばねであり、投入ラッチ７９を回転軸８０回りに反時計方向に回転するように付勢する。８２は投入レバー７６に設けたピンであり、投入ラッチ７９がピン８２に係合する。８３は投入トリガ、８４は回転軸であり、投入トリガ８３は回転軸８４回りに回転可能に取付けられている。８５はばねであり、投入トリガ８３を回転軸８４回りに時計方向に回転するように付勢する。８６は投入ラッチ７９に設けられたピンで、投入トリガ８３がピン８６に係合する。８７は投入レバー７６に設けたピンであり、投入レバー７６の回転にともない第２の遮断レバー５５と接離する。１６は投入電磁石で、プランジャー１７を有する。
【０１００】
以下、閉路状態から開路、再閉路、再開路の動作を順に説明する。
図１０は遮断器が閉路状態であるときを示し、第１の遮断レバー５２は蓄勢した開路コイルばね６０により反時計方向の回転力が与えられている。一方、第２の遮断レバー５５はピン６４が第２の引外しラッチ６７に係合することによって係止されている。
【０１０１】
このため、第１のリンク５３及び第２のリンク５４は、第１の遮断レバー５２と第２の遮断レバー５５の両者から力を受けるので、リンク装置４７の連結部４７ａに設けられた回転体５９にはガイド６２の円弧面６２ａを押す方向の力が生じている。このとき、ガイド６２に回転軸６３回りの反時計方向の回転力が生じるが、ガイド６２は第１の引外しラッチ６９がピン６６に係合することによって係止され、第１の引外しラッチ６９は引外しトリガ７３がピン７１に係合することによって保持されている。
【０１０２】
まず、開路動作について説明する。図１０の閉路状態で、開路指令により引外し電磁石２０が励磁されるとプランジャー２１が右方向に動作し、引外しトリガ７３がばね７５に抗して回転軸７４回りに時計方向に回転する。すると、引外しトリガ７３とピン７１との係合が外れ、第１の引外しラッチ６９がガイド６２のピン６６からの反力により反時計方向に回転する。第１の引外しラッチ６９が反時計方向に回転しピン６６から外れると、回転体５９が円弧面６２ａを押しているので、ガイド６２はコイルばね６５に抗して反時計方向に回転を始め、開路コイルばね６０からトルクを受けている第１の遮断レバー５２が反時計方向の回転を開始する。
【０１０３】
このとき同時にガイド６２のピン６２ｂが第２の引外しラッチ６７を押して、第２の引外しラッチ６７はばね６８に抗して反時計方向に回転し、第２の引外しラッチ６７による第２の遮断レバー５５に設けられたピン６４の係合が外れて、第２の遮断レバー５５の係止が解除が開始される。このときの状態が、図１１である。
【０１０４】
以下、主として図１１を参照しながら、開路動作が完了するまでの過程を説明する。
第２の引外しラッチ６７によるピン６４、すなわち第２の遮断レバー５５の係止が外れると、第２の遮断レバー５５は回転可能となる。また、ガイド６２がコイルばね６５により時計方向の回転を開始して、回転体５９を押し戻し始める。このとき、第１の遮断レバー５２は反時計方向の回転を続けているので、回転可能となった第２の遮断レバー５５も反時計方向に回転を開始する。
【０１０５】
そして、第２の遮断レバー５５が最終的に投入レバー７６のピン８７に当接して停止し、第２の遮断レバー５５とピン８７の位置関係は図１２に示す状態になる。すなわち、第１の遮断レバー５２は所定回転角に達して停止し、可動接触子２２が固定接触子１２から開離するとともに開路動作が完了する。
【０１０６】
また、ガイド６２はばね６５により時計方向に押されているので、第２の遮断レバー５５が反時計方向に回転するとき回転体５９と当接しながらピン６６が第１の引外しラッチ６９に係合するまで時計方向に回転した後、ストッパー（図示せず）に当接して停止する。同時に、第１の引外しラッチ６９がコイルばね７２の作用によって時計方向に回転してピン６６に係合し、引外しトリガ７３がコイルばね７５の作用によって反時計方向に回転して第１の引外しラッチ６９のピン７１に係合する。このようにしてガイド６２が係止される。すなわち、開路動作の完了時には、ガイド６２は第１の引外しラッチ６９に係止された状態になっている。この状態が図１２である。
【０１０７】
次に再閉路動作について説明する。図１２は開路動作が完了し、閉路コイルばね７７が蓄勢し、開路コイルばね６０が放勢した状態であり、この状態においては投入レバー７６はリンク１１１を介して閉路コイルばね７７により常時時計方向の回転力が与えられている。投入レバー７６はピン８２が投入ラッチ７９に係合することによって係止され、投入ラッチ７９は投入トリガ８３がピン８６に係合することによって係止されることによって、閉路コイルばね７７が蓄勢状態に保持されている。
【０１０８】
閉路指令により投入電磁石１６が励磁されるとプランジャー１７が右方向に動作し、投入トリガ８３がばね８５に抗して回転軸８４回りに反時計方向に回転し、投入トリガ８３とピン８６との係合が外れ、投入ラッチ７９が投入レバー７６のピン８２からの反力により時計方向に回転する。投入ラッチ７９が時計方向に回転してピン８２から外れると、閉路コイルばね７７からトルクを受けている投入レバー７６が時計方向に回転を始めると同時に、ピン８７が第２の遮断レバー５５に当接して、第２の遮断レバー５５がピン８７に押されて時計方向の回転を開始する。
【０１０９】
なお、投入レバー７６が時計方向に回転するとき、最初はピン８２が投入ラッチ７９と摺動しながら移動して投入ラッチ７９がばね８１に押されて反時計方向に回転しようとするのを阻止し、投入レバー７６が所定角度時計方向に回転して投入ラッチ７９との係合が外れると、投入ラッチ７９は図示しないストッパに当接して図７に示す状態以上に反時計方向に回転しない。
【０１１０】
ガイド６２は第１の引外しラッチ６９によって係止されており、回転体５９はガイド６２の円弧面６２ａに当接し回転しながら移動するため、主軸５１を中心とした円弧の軌跡を描く運動しかできないので、第２のリンク５４、回転体５９、第１のリンク５３及び第１の遮断レバー５２が一体となって、第２の遮断レバー５５の回転に連動して、主軸５１の回りに時計方向に回転し、可動接触子２２が閉路方向に駆動される。同時に、第１の遮断レバー５２に連結された開路コイルばね６０が圧縮され蓄勢される。
【０１１１】
第２の遮断レバー５５は回転を続け、第２の遮断レバー５５に設けられたピン６４が第２の引外しラッチ６７の先端部斜面６７ａに当接して、第２の引外しラッチ６７が反時計方向に回転する。そして、ピン６４が角６７ｂを越えると、ばね６８の作用により第２の引外しラッチ６７が時計方向に回転して、第２の遮断レバー５５に設けられたピン６４と係合する。同時に、第１の遮断レバー５２が投入レバー７６に設けられたピン８７に押されて所定回転角に達した状態になり、閉路動作及び開路コイルばね６０の蓄勢動作は完了する。この状態が図１３である。
【０１１２】
なお、閉路コイルばね７７の蓄勢時に投入レバー７６が反時計方向に回転され、ピン８７が第２の遮断レバー５５から離れても、第２の引外しラッチ６７によりピン６４が係止されているので、開路コイルばね６０は蓄勢状態に保持される。
【０１１３】
次に、再開路動作について説明する。図１３の閉路状態で、開路指令により引外し電磁石２０が励磁されるとプランジャ２１が右方向に動作し、引外しトリガ７３はばね７５に抗して回転軸７４回りに時計方向に回転する。引外しトリガ７３が回転すると、引外しトリガ７３とピン７１との係合が外れ、第１の引外しラッチ６９がガイド６２のピン６６からの反力により反時計方向に回転する。第１の引外しラッチ６９が反時計方向に回転しピン６６から外れると、回転体５９が円弧面６２ａを押しているので、ガイド６２はばね６５に抗して反時計方向に回転を始める。ガイド６２が反時計方向に回転を始めると、ガイド６２による回転体５９の支えがなくなるので、開路コイルばね６０からトルクを受けている第１の遮断レバー５２が反時計方向に回転を開始し、可動接触子２２が開路方向に駆動される。
【０１１４】
このとき同時にガイド６２のピン６２ｂが第２の引外しラッチ６７を押して、第２の引外しラッチ６７がばね６８に抗して反時計方向に回転し、第２の引外しラッチ６７と第２の遮断レバー５５に設けられたピン６４との係合が外れる。第２の引外しラッチ６７によるピン６４の係止が外れると、第２の遮断レバー５５は回転可能になるが、図１０の閉路コイルばね７７が蓄勢した状態から開路するときと異なり、第２の遮断レバー５５が投入レバー７６に設けられたピン８７に当接しているので、回転せず停止している。
【０１１５】
第１の遮断レバー５２は反時計方向に回転するので、第１及び第２の遮断レバー５２，５５を連結しているリンク装置４７の連結部４７ａが屈折し、最終的に第１の遮断レバー５２がピン５８に当接して停止する。このとき、可動接触子２２が固定接触子１２から完全に開離し、開路動作は完了する。この状態が図１４である。
【０１１６】
なお、厳密には、図１３の状態では閉路コイルばね７７によるトルクを投入レバー７６、第２の遮断レバー５５、リンク装置４７及び第１の遮断レバー５２等を介して緩衝器４２内の図示しないストッパで受けているため、第１の引外しラッチ６９によるピン６６の係止がなくなり、ガイド６２が反時計方向に回転を始めて、ガイド６２による回転体５９の支えがなくなると、閉路コイルばね７７の蓄勢力によりピン８７を介して第２の遮断レバー５５が若干時計方向に押し戻された状態で停止する。この状態で、第１の遮断レバー５２が反時計方向に回転するので、リンク装置４７の連結部４７ａが屈折し、第１の遮断レバー５２がピン５８に当接して停止する。
【０１１７】
次に、閉路コイルばね７７の蓄勢は、図２に示した蓄勢装置と同様のものによって閉路コイルばね７７を圧縮することによって行う。その蓄勢動作についても、図２の蓄勢装置の動作において説明したのと同様である。閉路コイルばね７７の蓄勢が完了すると、投入レバー７６が投入ラッチ７９に係止され、レバー８８及び第２の回転体８９は図２に実線で示す状態となる。
【０１１８】
図１２の状態で投入ラッチ７９によるピン８２の係止を解除し、閉路コイルばね７７を放勢して閉路動作を行うと、図１３に示すように開路コイルばね６０が蓄勢されるとともに、可動接触子２２が閉路方向に駆動される。さらに、モータ（図示せず）により閉路コイルばね７７を蓄勢すると、図１０に示すように、遮断器が閉路状態で、開路コイルばね６０及び閉路コイルばね７７がともに蓄勢されている状態に戻る。
【０１１９】
この実施の形態２に係る遮断器の操作装置は、遮断用及び閉路用の蓄勢手段としてトーションバーの代わりにコイルばねを用いているので、素線自体の極慣性モーメントと片方固定で他方運動の場合のコイルばね自体の慣性質量（コイルばね全質量の約３分の１）とを持っており、トーションバーと比べるとエネルギー効率は悪いが、蓄勢手段としてコンパクトにでき、それほど大きなエネルギーを必要としない比較的中小形の遮断器の操作装置に適している。
【０１２０】
また、レバー１１０を設けて閉路コイルばね７７が投入リンク１１１を介して投入レバー７６を駆動するときのガイドとすることにより、閉路コイルばね７７と投入レバー７６との距離を大きくしても安定して投入レバー７６を駆動することができ、また投入レバー７６に対して閉路コイルばね７７を配置する位置の自由度が大きくなる。
【０１２１】
実施の形態３．
この発明の実施の形態３による遮断器の操作装置を図について説明する。図１５〜図１９は、この発明の実施の形態３による遮断器の操作装置を示すもので、図１５は遮断器の操作装置の要部構成図であり、遮断器が閉路状態で、閉路コイルばね及び開路コイルばねがともに蓄勢した状態を示す。図１６は遮断器の操作装置の要部構成図であり、図１５の状態から開路動作をする途中の状態を示す。
【０１２２】
図１７は遮断器の操作装置の要部構成図であり、図１６の状態から開路動作が完了し、閉路コイルバネが蓄勢しており、開路コイルばねが放勢した状態を示す。図１８は遮断器の操作装置の要部構成図であり、遮断器が閉路状態で、閉路コイルばねが放勢し、開路コイルばねが蓄勢した状態を示す。図１９は遮断器の操作装置の要部構成図であり、高速再閉路動作の直後に２度目の開路動作を完了した状態で、遮断器が開路状態で、閉路コイルばね及び開路コイルばねがともに放勢した状態を示す。
【０１２３】
この実施の形態３は、実施の形態２に示した操作装置において、投入軸１０９、レバー１１０、投入リンク１１１、ピン１１２等を省いて、部品点数の削減を図ったものである。
【０１２４】
これらの図において、７５は引外しトリガ７３を回転軸７４回りに反時計方向に回転するように付勢するばねであり、実施の形態２に示したばね７５とは取り付け方向が逆で、圧縮されたばね７５が伸びようとする力により引外しトリガ７３を反時計方向に回転するように付勢するが、機能は同様のものである。７６は主軸５１回りに回転可能に設けた投入レバー、７７は閉路コイルばね、７８はロッドであり、閉路コイルばね７７はロッド７８を介して投入レバー７６を主軸５１回りに時計方向に付勢する。
【０１２５】
その他の構成については、実施の形態２と同様のものであるので、相当するものに同じ符号を付して説明を省略する。
【０１２６】
閉路状態から開路、再閉路、再開路の動作手順についても実施の形態２と同様であるので、説明を省略する。
なお、閉路コイルばね７７の放勢により遮断器を閉路するとき、閉路コイルばね７７によりロッド７８を介して投入レバー７６を駆動し、閉路する。また、閉路コイルばね７７の蓄勢動作についても、図２に示した蓄勢装置と同様のものにより投入レバー７６を反時計方向に駆動し、ロッド７８を介して閉路コイルばね７７を圧縮し、蓄勢する。
【０１２７】
この実施の形態３に係る遮断器の操作装置は、以上のように構成されているので、実施の形態２において述べたのと同様の効果を奏するとともに、部品点数をさらに削減できる。
【０１２８】
実施の形態４．
この発明の実施の形態４による遮断器の操作装置を、図について説明する。図２０〜図２５は、この発明の実施の形態４による遮断器の操作装置を示すもので、図２０は遮断器の操作装置の要部構成図であり、遮断器が閉路状態で、投入用及び開路用のトーションバーがともに蓄勢した状態を示す。図２１はロック部材周辺の構成を説明するための説明図であり、図２１（ａ）は図２０の正面から見た図、図２１（ｂ）は図２０の右方から見た図である。
【０１２９】
図２２は遮断器の操作装置の要部構成図であり、遮断器が開路状態で、閉路用のトーションバーが蓄勢し、開路用のトーションバーが放勢した状態を示す。図２３は遮断器の操作装置の要部構成図であり、閉路動作をする途中の状態を示す。図２４は遮断器の操作装置の要部構成図であり、閉路動作が完了し、閉路用のトーションバーが放勢し、開路用のトーションバーが蓄勢した状態を示す。図２５は遮断器の操作装置の要部構成図であり、高速再閉路動作の直後に２度目の開路動作を完了した状態で、遮断器が開路状態で、投入用及び開路用のトーションバーがともに放勢した状態を示す。
【０１３０】
この実施の形態４は、実施の形態１に示した遮断器の操作装置に、引外しトリガ７３を拘束するロック部材を設けて、閉路途中に誤って開路指令により引外し電磁石２０が励磁されてプランジャ２１が動作しても、遮断器が開路しないようにするとともに、所定の弾性を有するストッパを設けて閉路用のトーションバーの放勢エネルギーを吸収するようにしたものである。
【０１３１】
上述の図１に示したような遮断器の操作装置においては、図６の状態から閉路動作を開始するのであるが、閉路動作中に引外し電磁石２０が動作すると引外しトリガ７３が動作し、第１の引外しラッチ６９とガイド６２との係合が解除され、ガイド６２は回転体５９に押されて反時計方向に回転する。つまり、回転体５９はガイド６２による支えがなくなり、リンク装置４７はいわゆる腰折れ状態になる。リンク装置４７が腰折れ状態になると、投入系である閉路用のトーションバー２９，３５や投入レバー７６が、開路系である開路用のトーションバー２８，３４や緩衝器４２や第２の遮断レバー５５や第１の遮断レバー５２から反力を受けなくなり無負荷状態になる。
【０１３２】
このため、投入レバー７６、第２の遮断レバー５５、ピン５８、第２のリンク５４等が急速に時計方向に回転し、ピン５８が、開路動作中のために反時計方向に回転中の第１の遮断レバー５２に衝突する（図８及び図９のピン５８と第１の遮断レバー５２の位置関係を参照）。このとき、ピン５８や第１の遮断レバー５２等に大きな衝撃力が発生する。従って、操作装置の機構を上述した衝撃力に耐えうるように強固なものとする必要が生じ、機器の大型化や重量の増加を招く。この実施の形態４は、上記のような点を改良して、小形化、軽量化を図ったものである。
【０１３３】
さて、図２０〜図２５において、１０３はロック部材である。ロック部材１０３近傍の詳細を示す図２１において、１１９は引外しトリガ７３を挟んで対向配置された支持板であり、図示しない筐体に固定支持されている。引外しトリガ７３は、回転軸７４により両側の支持板１１９に回転可能に支持されている。１１９ａ（図２１（ａ））は、支持板１１９に設けられた直線状の案内溝部である。なお、詳細は後述するが、図２１はロック部材１０３が案内溝部１１９ａの上方部にあって、引外しトリガ７３が自由に回転できる状態を示している。
【０１３４】
ロック部材１０３は、断面が円形の棒材が図２１（ｂ）に示すように両端部が直角に折り曲げられ、折り曲げられた一方の端部が投入レバー７６に回転可能に係合され、他方の端部が２枚の支持板１１９に設けられたガイド溝部１１９ａ内に挿入されており、投入レバー７６の回転にともないガイド溝部１１９ａ内を上下方向に移動する。１０４は、所定の弾性を有するゴムで形成されたストッパであり、筐体１（図２０）に固定されており、閉路用のトーションバー２９，３５の放勢の最終段階においてレバー１１０が当接したときにその放勢エネルギーを吸収する。
【０１３５】
その他の構成については、図１に示した実施の形態１と同様のものであるので、相当するものに同じ符号を付して説明を省略する。
【０１３６】
次に、動作について説明する。図２２は遮断器が開路状態で、閉路用のトーションバーが蓄勢し、開路用のトーションバーが放勢した状態であるが、図２２において、投入レバー７６は投入リンク１１１、レバー１１０を介して閉路用のトーションバー２９，３５により常時時計方向の回転力が与えられている。投入レバー７６はピン８２が投入ラッチ７９に係合することによって係止され、投入ラッチ７９は投入トリガ８３がピン８６に係合することによって係止され、閉路用のトーションバー２９，３５が蓄勢状態に保持されている。投入レバー７６と連動するロック部材１０３は、下方にありこのとき引外しトリガ７３と接しておらず、トリガ７３は自由に回転可能である。
【０１３７】
図２２の状態において、閉路指令により投入電磁石１６が励磁されるとプランジャ１７が右方向に動作し、投入トリガ８３がばね８５に抗して回転軸８４回りに反時計方向に回転し、投入トリガ８３とピン８６との係合が外れ、投入ラッチ７９が投入レバー７６のピン８２からの反力により時計方向に回転する。投入ラッチ７９が時計方向に回転しピン８２から外れると、閉路用のトーションバー２９，３５からトルクを受けている投入レバー７６が時計方向に回転を始めると同時に、ピン８７が第２の遮断レバー５５に当接し、第２の遮断レバー５５がピン８７に押されて時計方向の回転を開始する。
【０１３８】
ガイド６２は第１の引外しラッチ６９によって係止されており、回転体５９はガイド６２の円弧面６２ａに当接し回転しながら移動するため主軸５１を中心とした円弧の軌跡を描く運動しかできないので、第２のリンク５４、回転体５９、第１のリンク５３及び第１の遮断レバー５２が一体となって、第２の遮断レバー５５の回転に連動して、主軸５１の回りに時計方向に回転し、可動接触子２２が閉路方向に駆動されると同時に、開路用のトーションバー２８，３４が蓄勢される。
【０１３９】
第２の遮断レバー５５は回転を続け、第２の遮断レバー５５に設けられたピン６４が第２の引外しラッチ６７の先端斜面部６７ａに当接して、第２の引外しラッチ６７が反時計方向に回転し、ピン６４が角６７ｂを越えると、ばね６８の作用により第２の引外しラッチ６７が時計方向に回転して、ピン６４に第２の引外しラッチ６７が係合する。同時に、第１の遮断レバー５２が所定回転角に達して、閉路動作及び開路用のトーションバー２８，３４の蓄勢動作は完了する。この動作の途中状態が図２３であり、図２４が閉路完了状態である。
【０１４０】
図２３に示すように、閉路開始にともない投入レバー７６に連結されたロック部材１０３は案内溝部１１９ａ（図２１（ａ））に案内され引外しトリガ７３と接しながら上方向に移動する。このため、閉路途中で引外し電磁石２０が励磁されたとしても引外しトリガ７３は回転しないように拘束される。ロック部材１０３は、閉路完了直前まで引外しトリガ７３との接触状態を保ちながら上方へ移動し、閉路完了状態でロック部材１０３は引外しトリガ７３と離れ、図２４に示すようにその上方に位置する。
【０１４１】
図２４の状態から、図２の蓄勢装置と同様の蓄勢装置を用い、モータによって減速器（いずれも図示せず）を介して閉路用のトーションバー２９，３５を蓄勢する。このとき、閉路用のトーションバー３５の一端が固着されている投入レバー７６は、反時計方向に回転し、蓄勢完了時には投入ラッチ７９を介して投入トリガ８３によって係止され閉路用ばね力を保持する。投入レバー７６が反時計方向に回転するのでロック材１０３は図の下方向に移動し図２０の状態と同じ位置にくる。
【０１４２】
次に、再開路動作について説明する。図２４の閉路状態で、開路指令により引外し電磁石２０が励磁されるとプランジャ２１が右方向に動作し、引外しトリガ７３はばね７５に抗して回転軸７４回りに時計方向に回転する。引外しトリガ７３が回転すると、引外しトリガ７３とピン７１との係合が外れ、第１の引外しラッチ６９がガイド６２のピン６６からの反力により反時計方向に回転する。
【０１４３】
第１の引外しラッチ６９が反時計方向に回転しピン６６から外れると、回転体５９が円弧面６２ａを押しているので、ガイド６２はばね６５に抗して反時計方向に回転を始める。ガイド６２が反時計方向に回転を始めると、ガイド６２による回転体５９の支えがなくなるので、開路用のトーションバー２８，３４からトルクを受けている第１の遮断レバー５２が反時計方向に回転を開始し、可動接触子２２が開路方向に駆動される。
【０１４４】
このとき同時にガイド６２のピン６２ｂが第２の引外しラッチ６７を押して、第２の引外しラッチ６７がばね６８に抗して反時計方向に回転し、第２の引外しラッチ６７と第２の遮断レバー５５に設けられたピン６４との係合が外れる。第２の引外しラッチ６７によるピン６４の係止が外れると、第２の遮断レバー５５は回転可能になるが、図２０の閉路用のトーションバーが蓄勢した状態から開路するときと異なり、第２の遮断レバー５５が投入レバー７６に設けられたピン８７に当接しているので、回転せず停止している。
【０１４５】
なお、図２４の状態では閉路用のトーションバー２９，３５によるトルクを投入レバー７６、第２の遮断レバー５５、リンク装置４７及び第１の遮断レバー５２等を介して緩衝器４２内の図示しないストッパで受けているため、第１の引外しラッチ６９によるピン６６の係止がなくなり、ガイド６２が反時計方向に回転を始めて、ガイド６２による回転体５９の支えがなくなると、閉路用のトーションバー２９，３５の蓄勢力により時計方向のトルクを与えられている投入レバー７６が時計方向に回転しようとするが、レバー１１０がストッパ１０４に当接するのでそれ以上時計方向に回転することはなく、第２の遮断レバー５５も回転しない。
【０１４６】
この状態で、第１の遮断レバー５２は反時計方向に回転し、ガイド６２が反時計方向に回転して図示しないストッパに当接して停止するので、第１及び第２の遮断レバー５２，５５を連結しているリンク装置４７の屈伸部４７ａが屈折し、最終的に第１の遮断レバー５２がピン５８に当接する手前で停止する。このとき、可動接触子２２が固定接触子１２から完全に開離し、開路動作は完了する。
【０１４７】
なお、ガイド６２による回転体５９の支えがなくなったときストッパ１０４によりレバー１１０すなわち投入レバー７６及び第２の遮断レバー５５が所定角度以上時計方向に回転しないように阻止されるので、実施の形態１で示したものと異なり、第１の遮断レバー５２が第２の遮断レバー５５に設けられたピン５８に衝突することはない。この状態が図２５である。
【０１４８】
その他の動作については、実施の形態１に示した遮断器の操作装置と同様である。
【０１４９】
この発明の実施の形態４に係る遮断器の操作装置は、以上のように構成されているので、閉路動作途中で開路指令が入力されて引外し電磁石２０が励磁されても引外しトリガ７３が回転しないようにロック部材１０３にて阻止されるので、引外しラッチ６９の係止が解除されることはなく、閉路状態になって初めて、開路動作が可能となる。また、閉路直後にガイド６２の係止が解除されると、回転体５９の支えがなくなるので、第２の遮断レバー５５、投入レバー７６、レバー１１０等が閉路用のトーションバー２９，３５の残っている蓄勢エネルギーにより時計方向に回転しようとするが、レバー１１０をストッパ１０４で受けることにより衝撃を防止するとともにレバー１１０、投入レバー７６、第２の遮断レバー５５を停止させることが可能である。さらに、第１の遮断レバー５２がピン５８に当接しない状態で停止するので、衝撃の発生を防止できる。
【０１５０】
また、投入レバー７６の回動に追随してロック部材１０３が移動し、引外しトリガ７３をロックする構成としているので、閉路途中に開路指令により引外し電磁石２０が励磁されても引外しトリガ７３が動作することはなく、閉路状態にならないと開路できない。従って、閉路途中でガイド６２の係止が解除されて開路用のトーションバー２８，３４によって反時計方向に駆動される第１の遮断レバー５２と、閉路のために投入レバー７６により時計方向に駆動されつつある第２の遮断レバー５５に設けられたピン５８とが衝突するのを防止でき、大きな衝撃が発生するおそれがない。
【０１５１】
また、閉路完了直後に開路した場合は、閉路用のトーションバー２９，３５の閉路動作後になお残っているばね力を所定の弾性を有するストッパ１０４で受けるため、この点においても衝突による過大な衝撃を防止でき、機械的な信頼性を確保できる。
【０１５２】
なお、ロック部材１０３またはストッパ１０４のいずれか一方だけを設ける場合であっても、それに応じた衝撃緩和の効果を奏する。特に、ロック部材１０３を設けて閉路用のトーションバー２９，３５の蓄勢エネルギーが大きい間は誤って引外しトリガ７３を動作させないようにすれば、閉路直後に誤って開路したとしても閉路用のトーションバー２９，３５の蓄勢エネルギーは閉路のために大部分放勢されてしまっており、残りの蓄勢エネルギーは比較的小さいので、ストッパ１０４を設けてなくてもそれほど大きな衝撃は発生しない。
【０１５３】
実施の形態５．
この発明の実施の形態５による遮断器の操作装置を図について説明する。図２６〜図３０は、この発明の実施の形態５による遮断器の操作装置を示すもので、図２６は遮断器の操作装置の要部構成図であり、遮断器が閉路状態で、閉路コイルばね及び開路コイルばねがともに蓄勢した状態を示す。図２７は遮断器の操作装置の要部構成図であり、遮断器が開路状態で、閉路コイルばねが蓄勢し、開路コイルばねが放勢した状態を示す。
【０１５４】
図２８は遮断器の操作装置の要部構成図であり、閉路動作をする途中の状態を示す。図２９は遮断器の操作装置の要部構成図であり、閉路動作が完了し、閉路コイルばねが放勢し、開路コイルばねが蓄勢した状態を示す。図３０は遮断器の操作装置の要部構成図であり、高速再閉路動作の直後に２度目の開路動作を完了した状態で、遮断器が開路状態で、閉路コイルばね及び開路コイルばねがともに放勢した状態を示す。
【０１５５】
この実施の形態５は、実施の形態３に示した操作装置に実施の形態４で説明したロック部材１０３及びストッパ１０４と同様のロック部材及びストッパを設けたものである。
【０１５６】
これらの図において、１０３は引外しトリガ７３を拘束するロック部材である。ロック部材１０３は、実施の形態４で示したものと同様のものであり、折り曲げられた一方の端部が投入レバー７６に回転可能に係合され、他方の端部が２枚の支持板に設けられたガイド溝部（いずれも図示しない）内に挿入されており投入レバー７６の回転にともないガイド溝部内を上下方向に移動する。１０４は、所定の弾性を有するゴムで形成されたストッパであり、筐体１に固定されており、閉路コイルばね７７が放勢の最終段階において当接したときにその放勢エネルギーを吸収する。
【０１５７】
その他の構成については、先に示した実施の形態３と同様のものであるので、相当するものに同じ符号を付して説明を省略する。
【０１５８】
作用、動作についても、実施の形態４に示したロック部材１０３及びストッパ１０４と同様であり、図２７は遮断器が開路状態で、閉路コイルばね６０が蓄勢し、開路コイルばね７７が放勢した状態であり、投入レバー７６と連動するロック部材１０３は、引外しトリガ７３と接しておらず、引外しトリガ７３は自由に回転できる状態にある。この状態で電磁石１６により投入トリガ８３を回転駆動して投入ラッチ７９との係合を解除して閉路動作を行う。図２８は、閉路動作をする途中の状態であり、閉路動作にともなう投入レバー７６の回転に連動してロック部材１０３が引外しトリガ７３と接しながら上方へ移動し、この間、引外し電磁石２０が励磁されたとしても引外しトリガ７３の動作を阻止する。
【０１５９】
図２９は閉路動作が完了し、閉路コイルばね７７が放勢し、開路コイルばね６０が蓄勢した状態であり、ロック部材１０３は引外しトリガ７３の上方にあって離れているので、引外しトリガ７３は回転可能な状態にある。図２９の状態から、蓄勢装置により閉路コイルばね７７を蓄勢すると投入レバー７６が反時計方向に回転し、これにともない投入レバー７６と連動するロック部材１０３は下方に移動して図２６の状態になる。
【０１６０】
次に、再開路動作について説明する。図２９の閉路状態で、開路指令により引外し電磁石２０が励磁されるとプランジャ２１が右方向に動作し、引外しトリガ７３はロック部材１０３の拘束を受けていないので回転軸７４回りに時計方向に回転する。引外しトリガ７３が回転すると、引外しトリガ７３とピン７１との係合が外れ、第１の引外しラッチ６９がガイド６２のピン６６からの反力により反時計方向に回転する。
【０１６１】
第１の引外しラッチ６９がピン６６から外れると、回転体５９が円弧面６２ａを押しているので、ガイド６２はばね６５に抗して反時計方向に回転を始める。ガイド６２が反時計方向に回転を始めると、ガイド６２による回転体５９の支えがなくなるので、開路コイルばね６０からトルクを受けている第１の遮断レバー５２が反時計方向の回転を開始し、可動接触子２２が開路方向に駆動される。
【０１６２】
このとき同時にガイド６２のピン６２ｂが第２の引外しラッチ６７を押して、第２の引外しラッチ６７がばね６８に抗して反時計方向に回転し、第２の引外しラッチ６７と第２の遮断レバー５５に設けられたピン６４との係合が外れる。第２の引外しラッチ６７によるピン６４の係止が外れると、第２の遮断レバー５５は回転可能になるが、図２６の閉路コイルばね７７が蓄勢した状態から開路するときと異なり、第２の遮断レバー５５が投入レバー７６に設けられたピン８７に当接しているので、回転せず停止している。
【０１６３】
また、図２９の状態では閉路コイルばね７７によるトルクを投入レバー７６、第２の遮断レバー５５、リンク装置４７及び第１の遮断レバー５２等を介して緩衝器４２内の図示しないストッパで受けているため、第１の引外しラッチ６９によるガイド６２の係止が解除されガイド６２による回転体５９の支えがなくなると、投入系を構成する閉路コイルばね７７、ロッド７８、投入レバー７６は自由になる。すると、閉路コイルばね７７に連結された投入レバー７６がさらに時計方向に回転しようとするが、弾性を有するストッパ１０４に当接して衝撃を発生することなく停止するので、投入レバー７６及び第２の遮断レバー５５はそれ以上時計方向に回転することはない。
【０１６４】
この状態で、第１の遮断レバー５２は反時計方向に回転し、ガイド６２が反時計方向に回転して図示しないストッパに当接して停止するので、第１及び第２の遮断レバー５２，５５を連結しているリンク装置４７の連結部４７ａが屈折し、最終的に第１の遮断レバー５２がピン５８に当接する手前で停止する。このとき、可動接触子２２が固定接触子１２から完全に開離し、開路動作は完了する。
【０１６５】
なお、ガイド６２による回転体５９の支えがなくなったとき閉路コイルばね７７がストッパ１０４に当接するので、すなわち投入レバー７６及び第２の遮断レバー５５が所定角度以上時計方向に回転しないように阻止されるので、実施の形態３で示したものと異なり、第１の遮断レバー５２が第２の遮断レバー５５に設けられたピン５８に衝突することはない。この状態が図３０である。
【０１６６】
この発明の実施の形態５に係る遮断器の操作装置は、以上のように構成されているので、実施の形態４において述べたのと同様の効果を奏する。
【０１６７】
実施の形態６．
この発明の実施の形態６による遮断器の操作装置を、図について説明する。図３１〜図３６は、この発明の実施の形態６による遮断器の操作装置を示すもので、図３１は遮断器の操作装置の要部構成図であり、遮断器が閉路状態で、閉路コイルばね及び開路コイルばねがともに蓄勢した状態を示す。図３２は遮断器の操作装置の要部構成図であり、図３１の状態から開路動作をする途中の状態を示す。図３３は遮断器の操作装置の要部構成図であり、遮断器が開路状態で、閉路コイルばねが蓄勢し、開路コイルばねが放勢した状態を示す。
【０１６８】
図３４は遮断器の操作装置の要部構成図であり、図３３の状態から閉路動作をする途中の状態を示す。図３５は遮断器の操作装置の要部構成図であり、閉路動作が完了し、閉路コイルばねが放勢し、開路コイルばねが蓄勢した状態を示す。図３６は遮断器の操作装置の要部構成図であり、高速再閉路動作の直後に２度目の開路動作を完了した状態で、遮断器が開路状態で、閉路コイルばね及び開路コイルばねがともに放勢した状態を示す。
【０１６９】
図２０の実施の形態４あるいは図２６の実施の形態５においては、ロック部材１０３が投入レバー７６に回転可能に連結され、投入レバー７６の回転にともない上下方向に移動することによって、閉路動作途中で開路指令が入力されて引外し電磁石２０が励磁されたり、プランジャ２１が誤って押されたりした場合でも、引外しトリガ７３が回転しないように阻止し、開閉接点の閉路動作中第１の引外しラッチが動作しないようにするものを示した。
【０１７０】
この実施の形態６は、第１の遮断レバー５２に回転可能に連結された第１のロック部材２００を設けて、第１の遮断レバー５２の回転にともない第１のロック部材２００が移動することによって、閉路動作途中で開路指令が入力されて引外し電磁石２０が励磁されたり、プランジャ２１が誤って押されたりした場合でも、引外しトリガ７３が回転して開路動作をしないように阻止し、開閉接点の閉路動作中第１の引外しラッチが動作しないようにするものである。
【０１７１】
詳細は後述するが、第１の遮断レバー５２に連結して第１のロック部材２００を設けることにより、実施の形態４あるいは５のような閉路動作中のみならず、図３３の遮断器が開路状態で、閉路コイルばね７７が蓄勢し開路コイルばね６０が放勢した状態において、閉路動作を開始し投入レバー７６が動き始めたときに、ちょうど開路指令が入力されて引外し電磁石２０が励磁されたり、プランジャ２１が誤って押されたりした場合でも、引外しトリガ７３が回転しないように阻止できるものである。従って、第１の引外しラッチ６９によるガイド６２の係止が解除されて、リンク装置４７が支えを失い、閉路不能になるおそれがないようにできるものである。
【０１７２】
以下、図によって説明する。図３１〜図３６において、２００は棒状の第１のロック部材であり、断面が円形の棒材の両端部が直角に折り曲げられ、折り曲げられた一方の端部が第１の遮断レバー５２に設けられた孔部５２ａに回転可能に挿入されている。第１のロック部材２００の他方の端部は、図２１の支持板１１９と同様の図示しない支持板のガイド溝部内に挿入されており、第１の遮断レバー５２の回転にともないガイド溝部内を上下方向に移動する。
【０１７３】
２０１は回転軸、２０２はロックプレートであり、ロックプレート２０２は回転軸２０１回りに回転可能に支持されている。２０３はばねであり、ロックプレート２０２を回転軸２０１回りに反時計方向に回転するように付勢する。
その他の構成については、図２６に示した実施の形態５と同様のものであるので、相当するものに同じ符号を付して説明を省略する。
【０１７４】
次に、動作について説明する。図３１は遮断器が閉路状態で、閉路コイルばね７７および開路コイルばね６０が蓄勢された状態である。この状態においては、第１の遮断レバー５２に孔部５２ａを介して回転可能に連結された第１のロック部材２００が図示しない支持板に案内されて上方へ移動し、ロックプレート２０２を上方へ押出している。
【０１７５】
上方へ押し出されたロックプレート２０２は、回転軸２０１回りに時計方向に回転し、引外しトリガ７３との係合が外れた状態で停止している。引外しトリガ７３はロックプレート２０２による係止が解除されているので、引外し電磁石２０のプランジャー２１を動作させて引外しトリガ７３を時計方向に回転駆動して第１の引外しラッチ６９によるガイド６２の係止を解除することが可能である。すなわち、図３１においては、遮断器は開路可能な状態にある。
【０１７６】
図３２は、遮断器が図３１の状態から開路する途中の状態を示している。図３１の状態から、開路指令により引外し電磁石２０が励磁されるとプランジャー２１が右方向に駆動され引外しトリガ７３が時計方向に回転して、第１の引外しラッチ６９によるガイド６２の係止が外れ、第１の遮断レバー５２は反時計方向に回転を始める。
【０１７７】
第１の遮断レバー５２の反時計方向の回転にともない、第１のロック部材２００は図示しない支持板に案内されて下方へ移動する。このとき、第１のロック部材２００の下方への移動に追随して、ロックプレート２０２はばね２０３によって押され回転軸２０１回りに反時計方向に回転する。その後、第１のロック部材２００がさらに下方へ移動し、ロックプレート２０２から離れる。第１の遮断レバー５２の反時計方向の回転にともない、第２の遮断レバー５５も反時計方向に回転して最終的に投入レバー７６のピン８７に当接して停止する。このとき、実施の形態１で説明したのと同様に、ガイド６２は時計方向に回転して復帰し、ガイド６２に設けられたピン６６が第１の引外しラッチ６９を介して引外しトリガ７３に係止される。さらに、引外しトリガ７３を、反時計方向に回転したロックプレート２０２が係止する。
【０１７８】
そして、遮断器が開路動作を完了し、閉路コイルばね７７が蓄勢されており、開路コイルばね６０が放勢した図３３に示す状態になる。この状態では、ロックプレート２０２は引外しトリガ７３を係止しており、この係止により引外しトリガ７３は回転軸７４回りに時計方向に回転することができず、第１の引外しラッチ６９によるガイド６２の係止は解除できない状態になる。
【０１７９】
次に、図３３の状態から閉路動作をする途中の状態が図３４であり、投入用電磁石１６が励磁されると、投入トリガ８３がプランジャ１７に押されて反時計方向に回転して、投入トリガ８３による投入ラッチ７９の係止が解除されると、閉路コイルばね７７の放勢力により投入レバー７６が回転軸５１回りに時計方向に回転する。
【０１８０】
投入レバー７６に固着されたピン８７が第２の遮断レバー５５を押すことによって、第２の遮断レバー５５はリンク装置４７、第１の遮断レバー５２とともに回転軸５１回りに時計方向に回転し、リンク装置４７の回転体５９がガイド６２の円弧面６２ａに接触しながら移動する。
【０１８１】
第１の遮断レバー５２の時計方向への回転に伴って、第１のロック部材２００は再び上方へ移動して閉路動作の完了直前にロックプレート２０２を上方へ押して回転軸２０１回りに時計方向に回転させ、ロックプレート２０２による引外しトリガ７３の係止を解除する。この閉路動作が完了した状態が図３５である。この状態では、ロックプレート２０２による引外しトリガ７３の係止は解除されているので、次の開路動作が可能となる。
【０１８２】
次に図３５に示した閉路状態から開路指令が発せられると、引外し電磁石２０のプランジャー２１が引外しトリガ７３を右方へ押し、引外しトリガ７３は回転軸７４回りに時計方向に回転する。引外しトリガ７３の回転動作によって、第１の引外しラッチ６９によるガイド６２の係止が解除されて、ガイド６２は開路コイルばね６０から力を受けている回転体５９に押されながら回転軸６３回りに反時計方向に回転する。
【０１８３】
第２の遮断レバー５５は、閉路コイルばね７７によって時計方向の回転力が与えられている投入レバー７６に設けられたピン８７に押されているので動くことができないが、開路コイルばね６０から力を受けている第１の遮断レバー５２はリンク装置４７が屈折することで回転軸５１回りに反時計方向に回転し、図３６に示す状態となる。
【０１８４】
閉路コイルばね７７の蓄勢動作についても、図２６に示した実施の形態５と同様であるが、若干の補足説明をする。閉路コイルばね７７の蓄勢は、図３５または図３６の閉路コイルばね７７が放勢した状態から行う。まず、図３５の状態から閉路コイルばね７７を蓄勢する場合について説明する。図２に示す蓄勢装置によりレバー８８（図２）を主軸５１回りに反時計方向に回転させる。すると、レバー８８と一体となった投入レバー７６も主軸５１回りに反時計方向に回転される。
【０１８５】
投入レバー７６は、反時計方向に回転される途中から投入レバー７６に設けられたピン８２が投入ラッチ７９の端面と当接し摺動しながら移動し、所定位置までくると投入ラッチ７９がばね８１によって反時計方向に回転してピン８２に係合する。同時に、投入トリガ８３がばね８５によって時計方向に回転してピン８６に係合し、投入レバー７６が保持されて、閉路コイルばね７７が蓄勢状態に保持され、図３１の状態になる。
【０１８６】
なお、図３５の状態ではガイド６２が復帰して第１の引外しラッチ６９に係止されるとともに第２の遮断レバー５５が第２の引外しラッチ６７に係止されている。従って、投入レバー７６が反時計方向に回転されても、第２の遮断レバー５５及び第１の遮断レバー５２は動くことはない。よって、第１の遮断レバー５２に連結された第１のロック部材２００は図３５の状態を維持し、ロックプレート２０２と引外しトリガ７３との係合は外されたままで、図３１と同じ状態である。
【０１８７】
また、図３６の状態から閉路コイルばね７７を蓄勢する場合は、蓄勢装置により投入レバー７６が反時計方向に回転されるのにともない、ばね６５がガイド６２を介して回転体５９を主軸５１に向かって押すことにより第２の遮断レバー５５が投入レバー７６に設けられたピン８７に当接しながら反時計方向に回転する。そして、ガイド６２は、ばね６５の力により回転体５９を押しながら時計方向に回転して復帰し、第１の引外しラッチ６９及び引外しトリガ７３によって係止される。
【０１８８】
投入レバー７６は、反時計方向に回転される途中からピン８２が投入ラッチ７９の端面と当接し摺動しながら移動し、所定位置までくると投入ラッチ７９がばね８１によって反時計方向に回転して投入レバー７６に設けられたピン８２に係合する。さらに、投入トリガ８３がばね８５によって時計方向に回転してピン８６に係合し、投入レバー７６が保持されて、閉路コイルばね７７が蓄勢状態に保持され、図３３の状態になる。
【０１８９】
第２の遮断レバー５５や投入レバー７６が上記のように反時計方向に回転するとき、開路コイルばね６０は放勢状態にあるので、第１の遮断レバー５２及び第１のロック部材２００も図３６の位置から動かず、図３３と同じ状態にある。
その他の動作については、図２６に示した実施の形態５と同様であるので、説明を省略する。
【０１９０】
この発明の実施の形態６に係る遮断器の操作装置は、以上のように構成されているので、実施の形態４，５において述べたのと同様の効果を奏する。
【０１９１】
先に示した実施の形態４あるいは５は、投入レバー７６と連動するロック部材１０３により引外しトリガ７３の動きを拘束するもので、図２２あるいは図２７に示されるように、開路用のトーションバーあるいは開路コイルばね６０が放勢しており、閉路用のトーションバーあるいは閉路コイルばね７７が圧縮蓄勢されて閉路動作可能な状態においては、ロック部材１０３は引外しトリガ７３を拘束していない。
【０１９２】
従って、この状態で投入トリガ８３を駆動して閉路動作を行ったときに、たまたま引外しトリガ７３を動作させると、第１の引外しラッチ６９によるガイド６２の係止が外れて、リンク装置４７が支えを失い、閉路不能になる。
【０１９３】
これに対し、この実施の形態６によれば、第１の遮断レバー５２と連動する第１のロック部材２００を設けたので、図３３のように開路コイルばね６０が放勢しており閉路コイルばね７７が蓄勢されて閉路動作可能な状態においては、ロックプレート２０２が引外しトリガ７３を拘束しているので、引外しトリガ７３を動作させることができない。
【０１９４】
従って、図３３の遮断器が開路状態で、閉路コイルばね７７が蓄勢し開路コイルばね６０が放勢した状態において、閉路動作を開始し投入レバー７６が動き始めたときに、ちょうど開路指令が入力されて引外し電磁石２０が励磁されたり、プランジャ２１が誤って押されたりした場合でも、第１の引外しラッチ６９によるガイド６２の係止が解除されるのを防止できるので、リンク装置４７が支えを失い、閉路不能になるおそれがない。
【０１９５】
なお、蓄勢手段としてトーションバーを用いた図２０に示した実施の形態４において、第１の遮断レバー５２に第１のロック部材２００を連結しても、同様の効果を奏する。
【０１９６】
実施の形態７．
この発明の実施の形態７による遮断器の操作装置を、図について説明する。図３７〜図４２は、この発明の実施の形態７による遮断器の操作装置を示すもので、図３７は遮断器の操作装置の要部構成図であり、遮断器が閉路状態で、閉路コイルばね及び開路コイルばねがともに蓄勢した状態を示す。図３８は遮断器の操作装置の要部構成図であり、図３７の状態から開路動作をする途中の状態を示す。図３９は遮断器の操作装置の要部構成図であり、遮断器が開路状態で、閉路コイルばねが蓄勢し、開路コイルばねが放勢した状態を示す。
【０１９７】
図４０は遮断器の操作装置の要部構成図であり、図３９の状態から閉路動作をする途中の状態を示す。図４１は遮断器の操作装置の要部構成図であり、閉路動作が完了し、閉路コイルばねが放勢し、開路コイルばねが蓄勢した状態を示す。図４２は遮断器の操作装置の要部構成図であり、高速再閉路動作の直後に２度目の開路動作を完了した状態で、遮断器が開路状態で、閉路コイルばね及び開路コイルばねがともに放勢した状態を示す。
【０１９８】
以上の各実施の形態で示したような遮断器の操作装置において、例えば図２６において、開閉接点１０は閉路状態にあり、次に開路動作を行うために開路コイルばね６０が蓄勢されている。また、開路後の再閉路動作のために閉路コイルばね７７も蓄勢されている。この状態では、投入レバー７６に設けられたピン８７は、図２６のように第２の遮断レバー５５から右方に離れた状態にある。この状態で、誤って例えば手動にて投入電磁石１６のプランジャー１７が動かされると、投入トリガ８３による投入ラッチ７９の係止が解除される。
【０１９９】
すると、ロッド７８を介して閉路用コイルばね７７から時計方向の回転力を受けている投入レバー７６は、無負荷のまま時計方向に急速に回転し、投入レバー７６に設けられたピン８７が第２の遮断レバー５５と衝突し大きな衝撃力が発生する。従って、この衝撃に耐えうるように投入レバー７６や第２の遮断レバー５５をはじめとする投入系部品を強固なものにする必要があり、小形、軽量化に制約を受ける。
【０２００】
この実施の形態７は、第１の遮断レバーに連結された第２のロック部材２１０を設けて、遮断器が閉路状態にあって開路コイルばね６０及び閉路コイルばね７７がともに蓄勢された状態にあるとき、誤って投入電磁石１６のプランジャー１７が動かされても、投入レバー７６の回転動作を防止する。これにより、投入レバー７６が時計方向に回転して投入レバー７６に設けられたピン８７が第２の遮断レバー５５に衝突して衝撃を発生しないようし、操作装置の小形軽量化を可能にするものである。
【０２０１】
以下、図について、具体的に説明をする。図３７〜図４２において、２１０は棒状の第２のロック部材であり、断面が円形の棒材の両端部が直角に折り曲げられ、折り曲げられた一方の端部が第１の遮断レバー５２に設けられた孔部５２ｂに回転可能に挿入されている。第２のロック部材２１０の他方の端部は、図２１の支持板１１９と同様の図示しない支持板のガイド溝部内に挿入されており、第１の遮断レバー５２の回転にともないガイド溝部内を上下方向に移動する。
【０２０２】
２１１は連結ピン、２１２はトリガレバーであり、トリガレバー２１２は連結ピン２１１を介してプランジャ１７に回転可能に連結されている。２１３はばねであり、トリガレバー２１２を連結ピン２１１回りに反時計方向に回転するように付勢する。
その他の構成については、図１５に示した実施の形態３及び図２６に示した実施の形態５と同様のものであるので、相当するものに同じ符号を付して説明を省略する。
【０２０３】
次に、動作について説明する。図３７は遮断器が閉路状態で、閉路コイルばね７７および開路コイルばね６０が蓄勢された状態である。この状態においては、第１の遮断レバー５２に孔部５２ｂを介して回転可能に連結された第２のロック部材２１０は図示しない支持板に案内されて下方へ移動し、トリガレバー２１２を下方へ押出している。下方へ押し出されたトリガレバー２１２は、連結ピン２１１回りに時計方向に回転した状態で停止している。
【０２０４】
従って、投入電磁石１６のプランジャー１７が動いても、トリガレバー２１２が投入トリガ８３に当接しないので、投入トリガ８３による投入ラッチ７９の係止が解除されず、閉路コイルばね７７が放勢することはない。すなわち、この状態で誤ってプランジャ１７を動作させても、閉路コイルばね７７の放勢により投入レバー７６に設けられたピン８７が、第２の遮断レバー５５に衝突することはない。
【０２０５】
図３８は、遮断器が図３７の状態から開路する途中の状態を示している。図３７の状態から、開路指令により引外し電磁石２０が励磁されるとプランジャー２１が右方向に駆動され引外しトリガ７３が時計方向に回転して、第１の引外しラッチ６９によるガイド６２の係止が外れ、第１の遮断レバー５２は反時計方向に回転を始める。第１の遮断レバー５２の反時計方向の回転にともない、第２のロック部材２１０は図示しない支持板に案内されて上方へ移動する。
【０２０６】
第２のロック部材２１０の上方への移動に追随して、トリガレバー２１２がばね２１３によって連結ピン２１１回りに反時計方向に回転し、トリガレバー２１２とプランジャ１７とは直線状になる。その後、第２のロック部材２１０がさらに上方へ移動し、トリガレバー２１２から離れる。そして、遮断器が開路動作を完了し、閉路コイルばね７７が蓄勢されており、開路コイルばね６０が放勢した図３９に示す状態になる。
【０２０７】
この状態では、トリガレバー２１２とプランジャ１７とは直線状になり、プランジャ１７を右方へ駆動することにより、投入トリガ８３を回転軸８４まわりに反時計方向に回転駆動して、閉路操作が可能である。
【０２０８】
次に、図３９の状態から閉路動作をする途中の状態が図４０であり、投入用電磁石１６が励磁されると、トリガレバー２１２が投入トリガ８３を反時計方向に回転駆動する。投入トリガ８３が反時計方向に回転すると、投入トリガ８３による投入ラッチ７９の係止が解除され、閉路コイルばね７７の放勢力により投入レバー７６が回転軸５１回りに時計方向に回転する。
【０２０９】
投入レバー７６に固着されたピン８７が第２の遮断レバー５５を押すことによって、第２の遮断レバー５５はリンク装置４７、第１の遮断レバー５２とともに回転軸５１回りに時計方向に回転し、リンク装置４７の回転体５９がガイド６２の円弧面６２ａに接触しながら移動する。
【０２１０】
第１の遮断レバー５２の時計方向の回転にともなって、第２のロック部材２１０は再び下方へ移動して閉路動作の完了直前にトリガレバー２１２を下方へ押して連結ピン２１１回りに時計方向に回転させ、プランジャ１７を右方へ動かしてもトリガレバー２１２は投入トリガ８３に当接しないようにする。この閉路動作が完了した状態が図４１である。
【０２１１】
次に図４１に示した閉路状態から開路指令が発せられると、引外し電磁石２０のプランジャー２１が引外しトリガ７３を右方へ押し、引外しトリガ７３は回転軸７４回りに時計方向に回転する。引外しトリガ７３の回転によって、第１の引外しラッチ６９によるガイド６２の係止が解除されて、ガイド６２が開路コイルばね６０から力を受けている回転体５９に押されながら回転軸６３回りに反時計方向に回転する。
【０２１２】
第２の遮断レバー５５は、閉路コイルばね７７によって時計方向の回転力が与えられている投入レバー７６に設けられたピン８７に押されているので動くことができないが、開路コイルばね６０から力を受けている第１の遮断レバー５２はリンク装置４７が屈折することで回転軸５１回りに反時計方向に回転する。
【０２１３】
第１の遮断レバー５２が反時計方向に回転すると、第１の遮断レバー５２に連結された第２のロック部材２１０は、支持板に案内されて再び上方へ移動する。トリガレバー２１２は、ばね２１３に押されて連結ピン２１１まわりに時計方向に回転し、トリガレバー２１２とプランジャ１７とは直線状になる。第２のロック部材２１０は、さらに上方へ移動し、トリガレバー２１２から離れる。この状態が図４２である。
【０２１４】
閉路コイルばね７７の蓄勢動作についても、図１５に示した実施の形態３と同様であるが、若干の補足説明をする。閉路コイルばね７７の蓄勢は、図４１または図４２の閉路コイルばね７７が放勢した状態から行う。まず、図４１の状態から閉路コイルばね７７を蓄勢する場合について説明する。図２に示す蓄勢装置によりレバー８８（図２）を主軸５１回りに反時計方向に回転させる。すると、レバー８８と一体となった投入レバー７６も主軸５１回りに反時計方向に回転される。
【０２１５】
投入レバー７６は、反時計方向に回転される途中から投入レバー７６に設けられたピン８２が投入ラッチ７９の端面と当接し摺動しながら移動し、所定位置までくると投入ラッチ７９がばね８１によって反時計方向に回転して投入レバー７６に設けられたピン８２に係合する。同時に、投入トリガ８３がばね８５によって時計方向に回転してピン８６に係合し、投入レバー７６が保持されて、閉路コイルばね７７が蓄勢状態に保持され、図３７の状態になる。
【０２１６】
なお、図４１の状態ではガイド６２が復帰して第１の引外しラッチ６９に係止されるとともに第２の遮断レバー５５が第２の引外しラッチ６７に係止されている。従って、投入レバー７６が反時計方向に回転されても、第２の遮断レバー５５及び第１の遮断レバー５２は動くことはない。よって、第１の遮断レバー５２に連結された第２のロック部材２１０は、図４１の状態を維持する。
【０２１７】
すなわち、トリガレバー２１２が第２のロック部材２１０により下方へ押出され、プランジャー１７が動いてもトリガレバー２１２は投入トリガ８３に当接しないので、投入ラッチ７９の係止が解除されず、閉路コイルばね７７が放勢することはない状態を維持する。この状態が、図３７である。
【０２１８】
また、図４２の状態から閉路コイルばね７７を蓄勢する場合は、蓄勢装置により投入レバー７６が反時計方向に回転されるのにともない、ばね６５がガイド６２を介して回転体５９を主軸５１に向かって押すことにより第２の遮断レバー５５が投入レバー７６に設けられたピン８７に当接しながら反時計方向に回転する。そして、ガイド６２は、ばね６５の力により回転体５９を押しながら時計方向に回転して復帰し、第１の引外しラッチ６９及び引外しトリガ７３によって係止される。
【０２１９】
投入レバー７６は、反時計方向に回転される途中からピン８２が投入ラッチ７９の端面と当接し摺動しながら移動し、所定の位置までくると投入ラッチ７９がばね８１によって反時計方向に回転して投入レバー７６に設けられたピン８２に係合する。さらに、投入トリガ８３がばね８５によって時計方向に回転してピン８６に係合し、投入レバー７６が保持されて、閉路コイルばね７７が蓄勢状態に保持され、図３９に示す状態になる。
【０２２０】
また、投入トリガ８３が時計方向に回転してピン８６と係合するのにともない、投入トリガ８３はプランジャ１７に対し直線状になっているトリガレバー２１２により駆動しうる位置まで復帰する。
その他の動作については、実施の形態３と同様である。
【０２２１】
この実施の形態７によれば、第１の遮断レバー５２に第２のロック部材２１０を連結して、第２のロック部材２１０を第１の遮断レバー５２の回転に機械的に連動させるという簡易な構成により、トリガレバー２１２による投入トリガ８３が駆動され投入トリガー８３による投入ラッチ７９の係止が解除されないように阻止することができる。従って、遮断器が閉路状態にあって開路コイルばね６０及び閉路コイルばね７７がともに蓄勢された状態にあるとき、誤って投入電磁石１６のプランジャー１７が動かされても、投入レバー７６の回転を防止できる。
【０２２２】
これにより、ピン８７が第２の遮断レバー５５に衝突して衝撃を発生しないので、投入レバー７６、ピン８７、第２の遮断レバー５５等の部品の機械的強度を下げることができ、小形軽量化が可能である。
【０２２３】
実施の形態８．
この発明の実施の形態８による遮断器の操作装置を、図について説明する。図４３〜図４８は、この発明の実施の形態７による遮断器の操作装置を示すもので、図４３は遮断器の操作装置の要部構成図であり、遮断器が閉路状態で、閉路用のトーションバー及び開路用のトーションバーがともに蓄勢した状態を示す。図４４は遮断器の操作装置の要部構成図であり、図４３の状態から開路動作をする途中の状態を示す。図４５は遮断器の操作装置の要部構成図であり、遮断器が開路状態で、閉路用のトーションバーが蓄勢し、開路用のトーションバーが放勢した状態を示す。
【０２２４】
図４６は遮断器の操作装置の要部構成図であり、図４５の状態から閉路動作をする途中の状態を示す。図４７は遮断器の操作装置の要部構成図であり、閉路動作が完了し、閉路用のトーションバーが放勢し、開路用のトーションバーが蓄勢した状態を示す。図４８は遮断器の操作装置の要部構成図であり、高速再閉路動作の直後に２度目の開路動作を完了した状態で、遮断器が開路状態で、閉路用のトーションバー及び開路用のトーションバーがともに放勢した状態を示す。
【０２２５】
この実施の形態８は、実施の形態１に示した蓄勢手段としてトーションバーを用いた遮断器の操作装置に、実施の形態７に示した第１の遮断レバー５２に連結された第２のロック部材２１０を設けたものであり、蓄勢手段としてトーションバーを用いた遮断器の操作装置の小型軽量化を可能にするものである。
【０２２６】
以下、図によって説明する。図４３〜４８において、投入軸１０９の内部に閉路用のトーションバーの一端が固着されている。なお、トーションバーは、図４３〜図４８には図示されていない（図４のトーションバー３５を参照）。投入軸１０９に固着されたレバー１１０は、トーションバーから時計方向に回転しようとする放勢力を受ける。投入レバー７６は、主軸５１回りに回転可能に設けられ、リンク１１１及びピン１１２を介してレバー１１０に連結され、トーションバーから時計方向に回転しようとする放勢力を受ける。
【０２２７】
その他の構成については、図１０に示した実施の形態２及び図３７に示した実施の形態７と同様のものであるので、相当するものに同じ符号を付して説明を省略する。なお、図４３〜図４８においては、図３７に示した筐体１及びストッパ１０４の図示を省略している。
また、動作についても、実施の形態７と同様であるので、説明を省略する。
【０２２８】
実施の形態９．
この発明の実施の形態９による遮断器の操作装置を、図について説明する。図４９〜図５５は、この発明の実施の形態９による遮断器の操作装置を示すもので、図４９は遮断器の操作装置の要部構成図であり、遮断器が閉路状態で、閉路コイルばね及び開路コイルばねがともに蓄勢した状態を示す。図５０は遮断器の操作装置の要部構成図であり、図４９の状態から開路動作をする途中の状態を示す。図５１は遮断器の操作装置の要部構成図であり、遮断器が開路状態で、閉路コイルばねが蓄勢し、開路コイルばねが放勢した状態を示す。
【０２２９】
図５２は遮断器の操作装置の要部構成図であり、図５１の状態から閉路動作をする途中の状態を示す。図５３は遮断器の操作装置の要部構成図であり、閉路動作が完了し、閉路コイルばねが放勢し、開路コイルばねが蓄勢した状態を示す。図５４は遮断器の操作装置の要部構成図であり、高速再閉路動作の直後に２度目の開路動作を完了した状態で、遮断器が開路状態で、閉路コイルばね及び開路コイルばねがともに放勢した状態を示す。図５５は、第２のロック部材の詳細構成を示す部分拡大図である。
【０２３０】
図３７の実施の形態７や図４３の実施の形態８においては、第２のロック部材２１０が上下方向に移動してトリガレバー２１２を回転させることにより、プランジャ１７が投入トリガ８３を駆動しないようにし、投入ラッチ７９による投入レバー７６の係止が解除されるのを阻止するものを示した。これに対し、この実施の形態９は、第２のロック部材３１０によりプランジャ３１７の動作を拘束することにより、プランジャ３１７が投入トリガ８３を駆動しないようにし、投入ラッチ７９による投入レバー７６の係止が解除されるのを阻止するものである。
【０２３１】
以下、図について、具体的に説明をする。図４９〜図５５において、３１０は棒状の第２のロック部材であり、断面が円形の棒材の両端部が直角に折り曲げられ、折り曲げられた一方の端部が第１の遮断レバー５２に設けられた孔部５２ｂに回転可能に挿入されている。第２のロック部材３１０の折り曲げられた他方の端部に、図５５に示すように断面円形の挿入ピン３１０ａが直角に固着されるとともに、その先端部が図２１に示したものと同様の支持板１１９のガイド溝部内に挿入されており、第１の遮断レバー５２の回転にともないガイド溝部内を上下方向に移動する。
【０２３２】
１６は投入電磁石、３１７はプランジャであり、プランジャ３１７は投入電磁石１６に挿入される左側部分は断面円形の棒状であり、その右側部分は図５５に示すように断面矩形にされるとともに円形の孔を形成する孔部３１７ａが設けられている。孔部３１７ａには上下方向に移動する第２のロック部材３１０の挿入ピン３１０ａが挿入しうるようになっている。
その他の構成については、図３７に示した実施の形態７と同様のものであるので、相当するものに同じ符号を付して説明を省略する。
【０２３３】
次に、動作について説明する。図４９は遮断器が閉路状態で、閉路コイルばね７７および開路コイルばね６０が蓄勢された状態である。この状態においては、第２の遮断レバー５２に孔部５２ｂを介して回転可能に連結された第２のロック部材３１０は支持板１１９に案内されて下方へ移動し、その挿入ピン３１０ａがプランジャ３１７の孔部３１７ａに挿入されている。
【０２３４】
従って、投入電磁石１６を励磁したり、手で動かそうとしても、プランジャー１７は動かず、投入トリガ８３を回転させることができない。従って、投入トリガ８３による投入ラッチ７９の係止は解除されず、閉路コイルばね７７が放勢することはない。すなわち、この状態で誤ってプランジャ１７を動作させようとしても動作させることができないので、閉路コイルばね７７の放勢により投入レバー７６に設けられたピン８７が、第２の遮断レバー５５に衝突することはない。
【０２３５】
図５０は、遮断器が図４９の状態から開路する途中の状態を示している。図４９の状態から、開路指令により引外し電磁石２０が励磁されるとプランジャー２１が右方向に駆動され引外しトリガ７３が時計方向に回転して、第１の引外しラッチ６９によるガイド６２の係止が外れ、第１の遮断レバー５２は反時計方向に回転を始める。第１の遮断レバー５２の反時計方向の回転にともない、第２のロック部材３１０は支持板１１９（図５５）に案内されて上方へ移動する。
【０２３６】
第２のロック部材３１０の上方への移動により、挿入ピン３１０ａも上方へ移動し、孔部３１７ａから抜け出し、第２のロック部材３１０がさらに上方へ移動する。そして、遮断器が開路動作を完了し、閉路コイルばね７７が蓄勢されており、開路コイルばね６０が放勢した図５１に示す状態になる。この状態では、プランジャ３１７は挿入ピン３１０ａによる拘束が解除されているので、プランジャ３１７を右方へ駆動することにより、投入トリガ８３を回転軸８４まわりに反時計方向に回転駆動して、閉路操作が可能である。
【０２３７】
次に、図５１の状態から閉路動作をする途中の状態が図５２であり、投入用電磁石１６が励磁されると、プランジャ３１７が右方へ駆動され、投入トリガ８３を反時計方向に回転駆動する。投入トリガ８３が反時計方向に回転すると、投入トリガ８３による投入ラッチ７９の係止が解除され、閉路コイルばね７７の放勢力により投入レバー７６が回転軸５１回りに時計方向に回転する。
【０２３８】
投入レバー７６に固着されたピン８７が第２の遮断レバー５５を押すことによって、第２の遮断レバー５５はリンク装置４７、第１の遮断レバー５２とともに回転軸５１回りに時計方向に回転し、リンク装置４７の回転体５９がガイド６２の円弧面６２ａに接触しながら移動する。
【０２３９】
第１の遮断レバー５２の時計方向の回転にともなって、第２のロック部材３１０は再び下方へ移動して閉路動作の完了直前に第２のロック部材３１０の挿入ピン３１０ａがプランジャ３１７の孔部３１７ａに挿入されるので、プランジャ３１７を右方へ動かそうとしても動かすことができず、閉路動作をするおそれがない状態になる。この閉路動作が完了した状態が図５３である。
【０２４０】
次に図５３に示した閉路状態から開路指令が発せられると、引外し電磁石２０のプランジャー２１が引外しトリガ７３を右方へ押し、引外しトリガ７３は回転軸７４回りに時計方向に回転する。引外しトリガ７３の回転によって、第１の引外しラッチ６９によるガイド６２の係止が解除されて、ガイド６２が開路コイルばね６０から力を受けている回転体５９に押されながら回転軸６３回りに反時計方向に回転する。
【０２４１】
第２の遮断レバー５５は、閉路コイルばね７７によって時計方向の回転力が与えられている投入レバー７６に設けられたピン８７に押されているので動くことができないが、開路コイルばね６０から力を受けている第１の遮断レバー５２はリンク装置４７が屈折することで回転軸５１回りに反時計方向に回転する。第１の遮断レバー５２が反時計方向に回転すると、第１の遮断レバー５２に連結された第２のロック部材３１０は、支持板１１９に案内されて再び上方へ移動する。これにともない、第２のロック部材３１０の挿入ピン３１０ａはプランジャ３１７の孔部３１７ａから抜け出す。この状態が図５４である。
【０２４２】
閉路コイルばね７７の蓄勢動作についても、図３７に示した実施の形態７と同様であるが、若干の補足説明をする。閉路コイルばね７７の蓄勢は、図５３または図５４の閉路コイルばね７７が放勢した状態から行う。まず、図５３の状態から閉路コイルばね７７を蓄勢する場合について説明する。図２に示す蓄勢装置によりレバー８８（図２）を主軸５１回りに反時計方向に回転させる。すると、レバー８８と一体となった投入レバー７６も主軸５１回りに反時計方向に回転される。
【０２４３】
投入レバー７６は、反時計方向に回転される途中から投入レバー７６に設けられたピン８２が投入ラッチ７９の端面と当接し摺動しながら移動し、所定位置までくると投入ラッチ７９がばね８１によって反時計方向に回転して投入レバー７６に設けられたピン８２に係合する。同時に、投入トリガ８３がばね８５によって時計方向に回転してピン８６に係合し、投入レバー７６が保持されて、閉路コイルばね７７が蓄勢状態に保持され、図４９の状態になる。
【０２４４】
なお、図５３の状態ではガイド６２が復帰して第１の引外しラッチ６９に係止されるとともに第２の遮断レバー５５が第２の引外しラッチ６７に係止されている。従って、投入レバー７６が反時計方向に回転されても、第２の遮断レバー５５及び第１の遮断レバー５２は動くことはない。よって、第１の遮断レバー５２に連結された第２のロック部材３１０は、図５３の状態を維持する。すなわち、挿入ピン３１０ａがプランジャ３１７の孔部３１７ａに挿入され、プランジャー３１７を動かそうとしても動かないので、投入ラッチ７９による投入レバー７６の係止は解除されず、閉路コイルばね７７が放勢することはない状態を維持する。この状態が、図４９である。
【０２４５】
また、図５４の状態から閉路コイルばね７７を蓄勢する場合は、蓄勢装置により投入レバー７６が反時計方向に回転されるのにともない、ばね６５がガイド６２を介して回転体５９を主軸５１に向かって押すことにより第２の遮断レバー５５が投入レバー７６に設けられたピン８７に当接しながら反時計方向に回転する。そして、ガイド６２は、ばね６５の力により回転体５９を押しながら時計方向に回転して復帰し、第１の引外しラッチ６９及び引外しトリガ７３によって係止される。
【０２４６】
投入レバー７６は、反時計方向に回転される途中からピン８２が投入ラッチ７９の端面と当接し摺動しながら移動し、所定の位置までくると投入ラッチ７９がばね８１によって反時計方向に回転して投入レバー７６に設けられたピン８２に係合する。さらに、投入トリガ８３がばね８５によって時計方向に回転してピン８６に係合し、投入レバー７６が保持されて、閉路コイルばね７７が蓄勢状態に保持される。また、投入トリガ８３が時計方向に回転してピン８６と係合するのにともない、投入トリガ８３はプランジャ３１７によって駆動可能な位置まで復帰する。この状態が、図５１である。
その他の動作については、実施の形態７と同様である。
【０２４７】
この実施の形態９によれば、第１の遮断レバー５２に第２のロック部材３１０を連結して、第２のロック部材３１０を第１の遮断レバー５２の回転に機械的に連動させるという簡易な構成により、プランジャ３１７を動かないように拘束して投入トリガ８３が駆動され投入トリガー８３による投入ラッチ７９の係止が解除されないように阻止することができる。従って、図４９のように遮断器が閉路状態にあって開路コイルばね６０及び閉路コイルばね７７がともに蓄勢された状態にあるとき、誤って投入電磁石１６のプランジャー３１７を動かそうとしても動かないので、投入レバー７６が回転しないように阻止できる。
【０２４８】
これにより、ピン８７が第２の遮断レバー５５に衝突して衝撃を発生しないので、投入レバー７６、ピン８７、第２の遮断レバー５５等の部品の機械的強度を下げることができ、小形軽量化が可能である。
【０２４９】
実施の形態１０．
この発明の実施の形態１０による遮断器の操作装置を、図について説明する。図５６〜図６１は、この発明の実施の形態１０による遮断器の操作装置を示すもので、図５６は遮断器の操作装置の要部構成図であり、遮断器が閉路状態で、閉路コイルばね及び開路コイルばねがともに蓄勢した状態を示す。図５７は遮断器の操作装置の要部構成図であり、図５６の状態から開路動作をする途中の状態を示す。図５８は遮断器の操作装置の要部構成図であり、遮断器が開路状態で、閉路コイルばねが蓄勢し、開路コイルばねが放勢した状態を示す。
【０２５０】
図５９は遮断器の操作装置の要部構成図であり、図５８の状態から閉路動作をする途中の状態を示す。図６０は遮断器の操作装置の要部構成図であり、閉路動作が完了し、閉路コイルばねが放勢し、開路コイルばねが蓄勢した状態を示す。図６１は遮断器の操作装置の要部構成図であり、高速再閉路動作の直後に２度目の開路動作を完了した状態で、遮断器が開路状態で、閉路コイルばね及び開路コイルばねがともに放勢した状態を示す。
【０２５１】
この実施の形態１０は、実施の形態６に示した第１の遮断レバー５２に連結された第１のロック部材２００と、実施の形態７に示した第１の遮断レバー５２に連結された第２のロック部材２１０との両者を設けたものであり、操作装置の一層の小形軽量化を可能にするものである。
【０２５２】
以下、図によって説明する。図５６〜図６１において、２００は棒状の第１のロック部材であり、断面が円形の棒材の両端部が直角に折り曲げられ、折り曲げられた一方の端部が第１の遮断レバー５２に設けられた孔部５２ａに回転可能に挿入されている。第１のロック部材２００の他方の端部は、図２１の支持板１１９と同様の図示しない支持板のガイド溝部内に挿入されており、第１の遮断レバー５２の回転にともないガイド溝部内を上下方向に移動する。
【０２５３】
２０１は回転軸、２０２はロックプレートであり、ロックプレート２０２は回転軸２０１回りに回転可能に支持されている。２０３はばねであり、ロックプレート２０２を回転軸２０１回りに反時計方向に回転するように付勢する。
【０２５４】
２１０は棒状の第２のロック部材であり、断面が円形の棒材の両端部が直角に折り曲げられ、折り曲げられた一方の端部が第１の遮断レバー５２に設けられた孔部５２ｂに回転可能に挿入されている。第２のロック部材２１０の他方の端部は、図２１の支持板１１９と同様の図示しない支持板のガイド溝部内に挿入されており、第１の遮断レバー５２の回転にともないガイド溝部内を上下方向に移動する。
【０２５５】
２１２はトリガレバー、２１１は連結ピンであり、トリガレバー２１２は連結ピン２１１を介してプランジャ１７に回転可能に連結されている。２１３はばねであり、トリガレバー２１２を連結ピン２１１回りに反時計方向に回転するように付勢する。
その他の構成については、図３１に示した実施の形態６及び図３７に示した実施の形態７と同様のものであるので、相当するものに同じ符号を付して説明を省略する。
【０２５６】
次に、動作について説明する。図５６は遮断器が閉路状態で、閉路コイルばね７７および開路コイルばね６０が蓄勢された状態である。この状態においては、第１の遮断レバー５２に孔部５２ａを介して回転可能に連結された第１のロック部材２００が図示しない支持板に案内されて上方へ移動し、ロックプレート２０２を上方へ押出している。
【０２５７】
上方へ押し出されたロックプレート２０２は、回転軸２０１回りに時計方向に回転し、引外しトリガ７３との係合が外れた状態で停止している。引外しトリガ７３はロックプレート２０２による係止が解除されているので、引外し電磁石２０のプランジャー２１を動作させて引外しトリガ７３を時計方向に回転駆動して第１の引外しラッチ６９によるガイド６２の係止を解除することが可能である。すなわち、図５６においては、遮断器は開路可能な状態にある。
【０２５８】
また、図５６の状態においては、第２の遮断レバー５２に孔部５２ｂを介して回転可能に連結された第２のロック部材２１０は図示しない支持板に案内されて下方へ移動し、トリガレバー２１２を下方へ押出している。下方へ押し出されたトリガレバー２１２は、連結ピン２１１回りに時計方向に回転した状態で停止している。
【０２５９】
従って、投入電磁石１６のプランジャー１７が動いても、トリガレバー２１２が投入トリガ８３に当接しないので、投入トリガ８３による投入ラッチ７９の係止が解除されず、閉路コイルばね７７が放勢することはない。すなわち、この状態で誤ってプランジャ１７を動作させても、閉路コイルばね７７の放勢により投入レバー７６に設けられたピン８７が、第２の遮断レバー５５に衝突することはない。
【０２６０】
図５７は、遮断器が図５６の状態から開路する途中の状態を示している。図５６の状態から、開路指令により引外し電磁石２０が励磁されるとプランジャー２１が右方向に駆動され引外しトリガ７３が時計方向に回転して、第１の引外しラッチ６９によるガイド６２の係止が外れ、第１の遮断レバー５２は反時計方向に回転を始める。
【０２６１】
第１の遮断レバー５２の反時計方向の回転にともない、第１のロック部材２００は図示しない支持板に案内されて下方へ移動する。第１のロック部材２００の下方への移動に追随して、ロックプレート２０２はばね２０３によって押され回転軸２０１回りに反時計方向に回転し、引外しトリガ７３を係止する。
【０２６２】
その後、第１のロック部材２００がさらに下方へ移動し、ロックプレート２０２から離れる。そして、遮断器が開路動作を完了し、閉路コイルばね７７が蓄勢されており、開路コイルばね６０が放勢した図５８に示す状態になる。この状態では、ロックプレート２０２は引外しトリガ７３を係止しており、この係止により引外しトリガ７３は回転軸７４回りに時計方向に回転することができず、第１の引外しラッチ６９によるガイド６２の係止は解除できない状態になる。
【０２６３】
また、第１の遮断レバー５２の反時計方向の回転にともない、第２のロック部材２１０は図示しない支持板に案内されて上方へ移動する。第２のロック部材２１０の上方への移動に追随して、トリガレバー２１２がばね２１３によって連結ピン２１１回りに反時計方向に回転し、トリガレバー２１２とプランジャ１７とは直線状になる。その後、第２のロック部材２１０がさらに上方へ移動し、トリガレバー２１２から離れる。
【０２６４】
そして、遮断器が開路動作を完了し、閉路コイルばね７７が蓄勢されており、開路コイルばね６０が放勢した図５８に示す状態になる。この状態では、トリガレバー２１２とプランジャ１７とは直線状になり、プランジャ１７を右方へ駆動することにより、投入トリガ８３を回転軸８４まわりに反時計方向に回転駆動して、閉路操作が可能である。
【０２６５】
また、投入用電磁石１６が励磁されると、トリガレバー２１２が投入トリガ８３を反時計方向に回転駆動する。投入トリガ８３が反時計方向に回転すると、投入トリガ８３による投入ラッチ７９の係止が解除され、閉路コイルばね７７の放勢力により投入レバー７６が回転軸５１回りに時計方向に回転する。
【０２６６】
投入レバー７６に固着されたピン８７が第２の遮断レバー５５を押すことによって、第２の遮断レバー５５はリンク装置４７、第１の遮断レバー５２とともに回転軸５１回りに時計方向に回転し、リンク装置４７の回転体５９がガイド６２の円弧面６２ａに接触しながら移動する。
【０２６７】
第１の遮断レバー５２の時計方向への回転に伴って、第１のロック部材２００は再び上方へ移動して閉路動作の完了直前にロックプレート２０２を上方へ押して回転軸２０１回りに時計方向に回転させ、ロックプレート２０２による引外しトリガ７３の係止を解除する。この閉路動作が完了した状態が図６０である。この状態では、ロックプレート２０２による引外しトリガ７３の係止は解除されているので、次の開路動作が可能となる。
【０２６８】
また、第１の遮断レバー５２の時計方向の回転にともなって、第２のロック部材２１０は再び下方へ移動して閉路動作の完了直前にトリガレバー２１２を下方へ押して連結ピン２１１回りに時計方向に回転させ、プランジャ１７を右方へ動かしてもトリガレバー２１２は投入トリガ８３に当接しないようにする。この閉路動作が完了した状態が図６０である。
【０２６９】
次に図６０に示した閉路状態から開路指令が発せられると、引外し電磁石２０のプランジャー２１が引外しトリガ７３を右方へ押し、引外しトリガ７３は回転軸７４回りに時計方向に回転する。引外しトリガ７３の回転動作によって、第１の引外しラッチ６９によるガイド６２の係止が解除されて、ガイド６２は開路コイルばね６０から力を受けている回転体５９に押されながら回転軸６３回りに反時計方向に回転する。
【０２７０】
第２の遮断レバー５５は、閉路コイルばね７７によって時計方向の回転力が与えられている投入レバー７６に設けられたピン８７に押されているので動くことができないが、開路コイルばね６０から力を受けている第１の遮断レバー５２はリンク装置４７が屈折することで回転軸５１回りに反時計方向に回転し、図６１に示す状態となる。
【０２７１】
また、第１の遮断レバー５２が反時計方向に回転すると、第１の遮断レバー５２に連結された第２のロック部材２１０は、支持板に案内されて再び上方へ移動する。トリガレバー２１２は、ばね２１３に押されて連結ピン２１１まわりに時計方向に回転し、トリガレバー２１２とプランジャ１７とは直線状になる。第２のロック部材２１０は、さらに上方へ移動し、トリガレバー２１２から離れる。この状態が図６１である。
【０２７２】
閉路コイルばね７７の蓄勢動作についても、図２６に示した実施の形態５と同様であるが、若干の補足説明をする。閉路コイルばね７７の蓄勢は、図６０または図６１の閉路コイルばね７７が放勢した状態から行う。まず、図６０の状態から閉路コイルばね７７を蓄勢する場合について説明する。図２に示す蓄勢装置によりレバー８８（図２）を主軸５１回りに反時計方向に回転させる。すると、レバー８８と一体となった投入レバー７６も主軸５１回りに反時計方向に回転される。
【０２７３】
投入レバー７６は、反時計方向に回転される途中から投入レバー７６に設けられたピン８２が投入ラッチ７９の端面と当接し摺動しながら移動し、所定位置までくると投入ラッチ７９がばね８１によって反時計方向に回転してピン８２に係合する。同時に、投入トリガ８３がばね８５によって時計方向に回転してピン８６に係合し、投入レバー７６が保持されて、閉路コイルばね７７が蓄勢状態に保持され、図５６の状態になる。
【０２７４】
なお、図６０の状態ではガイド６２が復帰して第１の引外しラッチ６９に係止されるとともに第２の遮断レバー５５が第２の引外しラッチ６７に係止されている。従って、投入レバー７６が反時計方向に回転されても、第２の遮断レバー５５及び第１の遮断レバー５２は動くことはない。よって、第１の遮断レバー５２に連結された第１のロック部材２００は図６０の状態を維持し、ロックプレート２０２と引外しトリガ７３との係合は外されたままで、図５６と同じ状態にある。
【０２７５】
また、第１の遮断レバー５２に連結された第２のロック部材２１０も、図６０の状態を維持する。すなわち、トリガレバー２１２が第２のロック部材２１０により下方へ押出され、プランジャー１７が動いてもトリガレバー２１２は投入トリガ８３に当接しないので、投入ラッチ７９の係止が解除されず、閉路コイルばね７７が放勢するおそれがない状態を維持する。この状態が、図５６である。
【０２７６】
また、図６１の状態から閉路コイルばね７７を蓄勢する場合は、蓄勢装置により投入レバー７６が反時計方向に回転されるのにともない、ばね６５がガイド６２を介して回転体５９を主軸５１に向かって押すことにより第２の遮断レバー５５が投入レバー７６に設けられたピン８７に当接しながら反時計方向に回転する。そして、ガイド６２は、ばね６５の力により回転体５９を押しながら時計方向に回転して復帰し、第１の引外しラッチ６９及び引外しトリガ７３によって係止される。
【０２７７】
投入レバー７６は、反時計方向に回転される途中からピン８２が投入ラッチ７９の端面と当接し摺動しながら移動し、所定位置までくると投入ラッチ７９がばね８１によって反時計方向に回転して投入レバー７６に設けられたピン８２に係合する。さらに、投入トリガ８３がばね８５によって時計方向に回転してピン８６に係合し、投入レバー７６が保持されて、閉路コイルばね７７が蓄勢状態に保持され、図５８の状態になる。
【０２７８】
投入トリガ８３が時計方向に回転してピン８６と係合するのにともない、投入トリガ８３はプランジャ１７に対し直線状になっているトリガレバー２１２により駆動しうる位置まで復帰する。第２の遮断レバー５５や投入レバー７６が上記のように反時計方向に回転するとき、開路コイルばね６０は放勢状態にあるので、第１の遮断レバー５２及び第１のロック部材２００も図６１の位置から動かず、図５８と同じ状態にある。
その他の動作については、図３１に示した実施の形態６と同様であるので、説明を省略する。
【０２７９】
この実施の形態１０によれば、第１の遮断レバー５２に連結された第１のロック部材２００及び第２のロック部材２１０を設けたので、簡易な構成により、閉路動作途中で誤操作により開路指令が入力されて引外し電磁石２０が励磁されたり、誤って手動でプランジャ２１が動されたりしても、第１の引外しラッチ６９によるガイド６２の係止が外れるおそれがなく、閉路途中にガイド５２の係止が解除されて第１の遮断レバー５２がピン５８に衝突して大きな衝撃が発生するのを防止できる。
【０２８０】
また、図５８の遮断器が開路状態で、閉路コイルばね７７が蓄勢し開路コイルばね６０が放勢した状態において、閉路動作を開始し投入レバー７６が動き始めたときに、ちょうど開路指令が入力されて引外し電磁石２０が励磁されたり、プランジャ２１が誤って押されたりした場合でも、第１の引外しラッチ６９によるガイド６２の係止が解除されるのを防止できるので、リンク装置４７が支えを失い、閉路不能になるおそれがない。
【０２８１】
また、第１の遮断レバー５２に第２のロック部材２１０を連結して、第２のロック部材２１０を第１の遮断レバー５２の回転に機械的に連動させるという簡易な構成により、トリガレバー２１２による投入トリガ８３が駆動され投入トリガー８３による投入ラッチ７９の係止が解除されないように阻止することができる。従って、図５６のように遮断器が閉路状態にあって開路コイルばね６０及び閉路コイルばね７７がともに蓄勢された状態にあるとき、誤って投入電磁石１６のプランジャー１７が動かされても、投入レバー７６の回転を防止できる。
【０２８２】
これにより、ピン８７が第２の遮断レバー５５に衝突して衝撃を発生しない。また、誤って投入電磁石１６のプランジャー１７が動かされても、投入レバー７６の回転を防止し、衝撃の発生を防止できる。従って、投入レバー７６、ピン８７、第２の遮断レバー５５等の部品の機械的強度を下げることができ、操作装置の一層の小形軽量化が可能である。
【０２８３】
実施の形態１１．
この発明の実施の形態１１による遮断器の操作装置を、図について説明する。図６２〜図６７は、この発明の実施の形態１１による遮断器の操作装置を示すもので、図６２は遮断器の操作装置の要部構成図であり、遮断器が閉路状態で、閉路用のトーションバー及び開路用のトーションバーがともに蓄勢した状態を示す。図６３は遮断器の操作装置の要部構成図であり、図６２の状態から開路動作をする途中の状態を示す。図６４は遮断器の操作装置の要部構成図であり、遮断器が開路状態で、閉路用のトーションバーが蓄勢し、開路用のトーションバーが放勢した状態を示す。
【０２８４】
図６５は遮断器の操作装置の要部構成図であり、図６４の状態から閉路動作をする途中の状態を示す。図６６は遮断器の操作装置の要部構成図であり、閉路動作が完了し、閉路用のトーションバーが放勢し、開路用のトーションバーが蓄勢した状態を示す。図６７は遮断器の操作装置の要部構成図であり、高速再閉路動作の直後に２度目の開路動作を完了した状態で、遮断器が開路状態で、閉路用のトーションバー及び開路用のトーションバーがともに放勢した状態を示す。
【０２８５】
この実施の形態１１は、実施の形態１に示した蓄勢手段としてトーションバーを用いた遮断器の操作装置に、実施の形態６に示した第１の遮断レバー５２に連結された第１のロック部材２００と、実施の形態７に示した第１の遮断レバー５２に連結された第２のロック部材２１０との両者を設けたものであり、蓄勢手段としてトーションバーを用いた遮断器の操作装置の一層の小型軽量化を可能にするものである。
【０２８６】
以下、図によって説明する。図６２〜図６７において、投入軸１０９の内部に閉路用のトーションバーの一端が固着されている。なお、トーションバーは、図６２〜図６７には図示されていない（図４のトーションバー３５を参照）。投入軸１０９に固着されたレバー１１０は、トーションバーから時計方向に回転しようとする放勢力を受ける。投入レバー７６は、主軸５１回りに回転可能に設けられ、リンク１１１及びピン１１２を介してレバー１１０に連結され、トーションバーから時計方向に回転しようとする放勢力を受ける。
【０２８７】
その他の構成については、図５６に示した実施の形態１０と同様のものであるので、相当するものに同じ符号を付して説明を省略する。なお、図６２〜図６７においては、図５６に示した筐体１及びストッパ１０４の図示を省略している。
また、動作についても、実施の形態１０と同様であるので、説明を省略する。
【０２８８】
実施の形態１２．
この発明の実施の形態１２による操作装置を、図について説明する。図６８は、この発明の実施の形態１２による遮断器の閉路状態における操作装置の要部構成図であり、遮断器が閉路状態で、閉路コイルばね７７及び開路コイルばね６０が蓄勢した状態を示す。この実施の形態は、実施の形態３におけるガイド６２の構成を変更したものである。
【０２８９】
９５は回転軸６３回りに回転可能に取付けられたガイド、６５はばねであり、ガイド９５を回転軸６３回りに時計方向に回転するように付勢する。ガイド９５は平面９５ａとガイド９５の本体部に固着されたピン９５ｂを有しており、ピン９５ｂは図１５のピン６２ｂと同様のものであり、ピン９５ｂは第２の引外しラッチ６７と係合する。
その他の構成については、実施の形態３と同様のものであるので、相当するものに同じ符号を付して説明を省略する。
【０２９０】
開路動作、閉路動作、閉路コイルばねの蓄勢動作は、実施の形態３で説明したものと同様であるが、閉路動作について以下に若干の補足説明をする。
実施の形態３と同様に投入ラッチ７９が投入レバー７６の係止を解除して、投入レバー７６が主軸５１の回りに時計方向に回転を開始し、さらに第２の遮断レバー５５が投入レバー７６のピン８７に押されて時計方向に回転する。ガイド９５は第１の引外しラッチ６９によって係止されているため、回転体５９がガイド９５の平面９５ａに当接し回転しながら案内される。
【０２９１】
そして、第２の遮断レバー５５の時計方向の回転に連動して、第２のリンク５４、回転体５９、第１のリンク５３及び第１の遮断レバー５２が一体となって、主軸５１の回りに時計方向に回転し、可動接触子２２が閉路方向に駆動され、同時に開路コイルばね６０が蓄勢される。第２の遮断レバー５５が時計方向に所定角度回転すると、第２の引外しラッチ６７が第２の遮断レバー５５に設けられたピン６４に係合して、閉路動作及び開路コイルばね６０の蓄勢動作は完了する。この状態からさらに閉路コイルばね７７を蓄勢した状態が図６８である。
【０２９２】
なお、回転体５９がころがりながら案内される面が平面９５ａであるため、閉路動作終了に近づくにつれて、すなわち第２の遮断レバー５５が時計方向に回転するほど回転体５９と主軸５１の距離が大きくなり、第２の遮断レバー５５の回転角に対する第１の遮断レバー５２の回転角が相対的に小さくなり、第１の遮断レバー５２のトルクが第２の遮断レバー５５のトルクよりも大きくなる。すなわち閉路動作終了に近づいたときの第１の遮断レバー５２のトルクを増大させることができる。
【０２９３】
ばねは、一般的に放勢とともに発生力が小さくなるが、このようにして、放勢の終期に放勢力が弱くなる閉路コイルばね７７の特性を補うことができる。また、平面９５ａの角度を制御することで閉路動作開始時または閉路動作終了時の第１の遮断レバー５２のトルクを投入レバー７６のトルクに対して相対的に増減できる。
また、ガイド９５の平面９５ａに代えて任意のころがり面を有する案内面を設けることにより、さらに自由に第１の遮断レバー５２のトルクを制御できる。
【０２９４】
このようなガイド９５は、実施の形態３に限らず、他の実施の形態にも適用して、同様の効果を奏する。
【０２９５】
実施の形態１３．
この発明の実施の形態１３による操作装置を図について説明する。図６９は、この発明の実施の形態１３による閉路コイルばね７７の蓄勢装置の要部構成図である。図６９において、９６はレバー８８に取付けられた第２の回転体８９を回転自由に支持する回転軸、９７はカム軸９０に回転可能に取付けられた投入ラッチで、実施の形態３の投入ラッチ７９に代えて用いており、回転軸９６に係合して、レバー８８（図６９）及びこのレバー８８に一体に固着された投入レバー７６（図１参照）を係止保持する。
【０２９６】
９８は投入ラッチ９７を反時計方向に付勢するばねであり、実施の形態１と同様に投入ラッチ９７にピン８６を設け、ピン８６にトリガ８３が係合する構成にしている。
その他の構成については、実施の形態１と同様のものであるので、相当するものに同じ符号を付して説明を省略する。
【０２９７】
このように投入ラッチ９７とカム９１が同一の回転軸であるカム軸９０に取り付けられているので、実施の形態１における回転軸８０を省略でき、装置を小形化できる。
このような蓄勢装置は、実施の形態１に限らず、他の実施の形態にも適用して、同様の効果を奏する。
【０２９８】
また、蓄勢手段は、上記のようなトーションバーやコイルばねに限られるものではなく、他の弾性部材、例えば空気ばねやゴム、あるいは圧縮空気が貯留されたタンクとこのタンクに接続された空気シリンダを組み合わせたもの等であってもよい。さらに、開閉器は断路器、負荷開閉器等であっても同様の効果を奏する。
【０２９９】
【発明の効果】
本発明は、以上説明したように構成されているので、以下に記載するような効果を奏する。
【０３００】
支持構造体に回転可能に支持されるとともに開閉接点に連結された第１の遮断レバー、第１の遮断レバーを所定方向に回転するように付勢する開路用の蓄勢手段、第１及び第２のリンク並びに第１及び第２のリンクを屈伸可能に連結する連結部を有し第１のリンクが第１の遮断レバーに連結されたリンク装置、支持構造体に回転可能に支持されるとともに第２のリンクに連結された第２の遮断レバー、支持構造体に回転可能にかつ第２の遮断レバーと接離可能に支持された投入レバー、投入レバーを所定方向と逆方向に回転するように付勢する閉路用の蓄勢手段、投入レバーを係止する投入ラッチ、連結部と当接しながら連結部を案内する案内面を有し支持構造体に移動可能に支持されたガイド、ガイドを係止する第１の引外しラッチ及びガイドと連動し第２の遮断レバーを係止する第２の引外しラッチ、を有し、第１の引外しラッチによるガイドの係止を解除するとガイドは連結部に押されて移動しガイドと連動する第２の引外しラッチによる第２の遮断レバーの係止が解除され開路用の蓄勢手段の放勢により第１の遮断レバーが所定方向に回転駆動されて開閉接点を開路するとともに第１の遮断レバーが所定方向に所定角度回転するとガイドは再び第１の引外しラッチにより係止され、投入ラッチによる投入レバーの係止を解除すると閉路用の蓄勢手段の放勢により投入レバーを介して第２の遮断レバーが所定方向と逆方向に回転駆動されリンク装置を介してかつ連結部が第１の引外しラッチにより係止されたガイドの案内面により案内されながら第１の遮断レバーを所定方向と逆方向に回転させて開閉接点を閉路するとともにあわせて開路用の蓄勢手段を蓄勢し、第２の遮断レバーを第２の引外しラッチにより係止することにより開路用の蓄勢手段の蓄勢状態及び開閉接点の閉路状態を維持する、ようにしたものであるので、
開閉接点の開路時に第１の遮断レバーが所定方向に所定角度回転した時点でガイドが第１の引外しラッチに係止されるので、すなわち次の閉路動作前に既にガイドが第１の引外しラッチに係止されているので、閉路完了時に第１の引外しラッチがガイドを係止するのを待つことなく直ちに開路動作を開始できる。
【０３０１】
そして、投入レバー又は第１の遮断レバーの回転に連動し開閉接点の閉路動作中第１の引外しラッチが動作しないようにする開路動作防止部材を設けたものであることを特徴とするので、
閉路途中で誤って第１の引外しラッチが動作してガイドの係止が解除されるのを開路動作防止部材により防止することにより、閉路動作中においてガイドの係止が解除され連結部の支えがなくなって開路用の蓄勢手段によって所定方向に回転駆動される第１の遮断レバーと、閉路動作中に投入レバーにより所定方向と逆の方向に回転駆動される第２の遮断レバーと、が衝突して大きな衝撃が発生するおそれがなく、投入レバーや第１の遮断レバーや第２の遮断レバーの機械的強度を下げることができ、装置を小形化できる。
【０３０２】
さらに、引外しトリガを支持構造部材に回転可能に設け、この引外しトリガを回転させることにより第１の引外しラッチによるガイドの係止を解除するものであり、開路動作防止部材は投入レバー又は第１の遮断レバーの回転に連動して移動し開閉接点の閉路動作中引外しトリガが回転しないようにするものであることを特徴とするので、
簡易な構成で、閉路動作中に第１の引外しラッチが回転して第１の引外しラッチによるガイドの係止が解除されることがないようにして、装置を小形化できる。
【０３０３】
また、第１の遮断レバーの回転に連動し開閉接点の閉路状態において投入ラッチが動作しないようにする閉路動作防止部材を設けたものであることを特徴とするので、
第１の遮断レバーの回転に閉路動作防止部材を機械的に連動させることにより、投入ラッチが動作しないようにすることができる。従って、開路用の蓄勢手段及び閉路用の蓄勢手段がともに蓄勢された状態にあるとき、投入ラッチによる投入レバーの係止が解除されて投入レバーと第２の遮断レバーとが衝突して大きな衝撃が発生するおそれがないので、投入レバーや第２の遮断レバー等の機械的強度を下げることができ、小形化できる。
【０３０４】
そして、投入トリガを支持構造部材に回転可能に設け、この投入トリガを回転させることにより投入ラッチによる投入レバーの係止を解除するものであり、投入開路動作防止部材は第１の遮断レバーの回転に連動して移動し開閉接点の閉路状態において投入トリガが回転しないようにするものであることを特徴とするので、
簡易な構成で、開閉接点の閉路状態において投入トリガが回転して投入ラッチによる投入レバーの係止が解除されることがないようにでき、投入レバーや第２の遮断レバーの機械的強度を下げることにより、小形化できる。
【０３０５】
さらに、投入レバー又は第１の遮断レバーの回転に連動し開閉接点の閉路動作中第１の引外しラッチが動作しないようにする開路動作防止部材を設けるとともに、第１の遮断レバーの回転に連動し開閉接点の閉路状態において投入ラッチが動作しないようにする閉路動作防止部材を設けたものであることを特徴とするので、
閉路途中で誤って第１の引外しラッチが動作してガイドの係止が解除されないように開路動作防止部材により防止することにより、閉路動作中においてガイドの係止が解除され連結部の支えがなくなって開路用の蓄勢手段によって所定方向に回転駆動される第１の遮断レバーと、閉路動作中に投入レバーにより所定方向と逆の方向に回転駆動される第２の遮断レバーと、が衝突して大きな衝撃が発生するおそれをなくすことができる。また、第１の遮断レバーの回転に投入開路動作防止部材を機械的に連動させることにより、投入ラッチが動作しないようにすることができる。従って、開路用の蓄勢手段及び閉路用の蓄勢手段がともに蓄勢された状態にあるとき、投入ラッチによる投入レバーの係止が解除されて投入レバーと第２の遮断レバーとが衝突して大きな衝撃が発生するおそれがないので、第１の遮断レバーや第２の遮断レバーや投入レバーの機械的強度を下げることができ、一層小形化できる。
【０３０６】
また、引外しトリガ及び投入トリガを支持構造部材に回転可能に設け、引外しトリガを回転させることにより第１の引外しラッチによるガイドの係止を解除するとともに投入トリガを回転させることにより投入ラッチによる投入レバーの係止を解除するものであり、開路動作防止部材は投入レバー又は第１の遮断レバーの回転に連動して移動し開閉接点の閉路動作中引外しトリガが回転しないようにするものであり、閉路動作防止部材は第１の遮断レバーの回転に連動して移動し開閉接点の閉路状態において投入トリガが回転しないようにするものであることを特徴とするので、
簡易な構成で、閉路動作中に第１の引外しラッチが回転して第１の引外しラッチによるガイドの係止が解除されたり、開閉接点の閉路状態において投入トリガが回転して投入ラッチによる投入レバーの係止が解除されたりすることがないようにして、大きな衝撃が発生するのを防止し、第１の遮断レバーや第２の遮断レバーや投入レバーの機械的強度を下げることにより、一層小形化できる。
【０３０７】
また、閉路用の蓄勢手段の放勢中または閉路用の蓄勢手段が放勢状態にあるときに第１の引外しラッチによるガイドの係止が解除された場合に閉路用の蓄勢手段の放勢力を受けとめるストッパを設けたものである、ことを特徴とするので、阻止部材を設けても閉路完了直後に開路可能であるので、閉路完了直後に開路した場合、閉路動作後になお残っている閉路用の蓄勢手段の放勢力をストッパで受けとめることにより、衝突による過大な衝撃の発生を防止できる。
【０３０８】
そして、開路用及び閉路用の蓄勢手段は、トーションバーである、ことを特徴とするので、
エネルギー効率がよい、応力集中がない蓄勢手段を実現できる。
【０３０９】
さらに、開路用及び閉路用の蓄勢手段は、コイルばねである、ことを特徴とするので、
コンパクトな蓄勢手段を実現できる。
【０３１０】
また、第１の遮断レバーと第２の遮断レバーとは、支持構造体に設けられた同じ支持軸に回転可能に支持されたものである、ことを特徴とするので、
各遮断レバーを個々に支持しなくてよいので、部品点数が減少し、構造が簡素化される。
【０３１１】
そして、第２の遮断レバーと投入レバーとは、支持構造体に設けられた同じ支持軸に回転可能に支持されたものである、ことを特徴とするので、
第２の遮断レバーと投入レバーとを個々に支持しなくてよいので、部品点数が減少し、構造が簡素化され、装置を小形化できる。
【０３１２】
さらに、第１の遮断レバーと第２の遮断レバーと投入レバーとが、支持構造体に設けられた同じ支持軸に回転可能に支持されたものである、ことを特徴とするので、
第１の遮断レバー、第２の遮断レバー及び投入レバーを個々に支持しなくてよいので、さらに部品点数が減少し、構造が簡素化され、装置を小形化できる。
【０３１３】
また、ガイドと第２の引外しラッチとは、支持構造体に設けられた同じ支持軸に回転可能に支持されたものである、ことを特徴とするので、
第２の引外しラッチと投入レバーとを個々に支持しなくてよいので、部品点数が減少し、構造が簡素化され、装置を小形化できる。
【０３１４】
そして、第１の遮断レバーと第２の遮断レバーとは支持構造体に設けられた同じ支持軸に回転可能に支持されたものであり、ガイドの案内面は円弧面であってガイドが第１の引外しラッチに係止された状態にあるときに円弧面の円弧の中心が支持軸の中心に位置するものである、ことを特徴とするので、
簡単な構成で連結部の移動軌跡を制御できる。
【０３１５】
さらに、第１の遮断レバーと第２の遮断レバーとは支持構造体に設けられた同じ支持軸に回転可能に支持されたものであり、ガイドの案内面は平面である、
ことを特徴とするので、
案内面の加工が容易であり、閉路動作開始時あるいは終了時に第１の遮断レバーに伝達される閉路用の蓄勢手段のトルクを増大させることができる。
【０３１６】
また、リンク装置は、ガイドの案内面に当接し回転しながら案内される回転体を連結部に設けたものである、ことを特徴とするので、
連結部がガイドに案内されるときの摩擦抵抗が小さくなり、開閉接点を閉路し開路用の蓄勢手段を蓄勢するとき、閉路用の蓄勢手段の蓄勢エネルギーを第１の遮断レバーに有効に伝達できる。
【０３１７】
そして、閉路用の蓄勢手段は、モータによって駆動されるカムにより投入レバーを駆動する蓄勢装置により蓄勢されるものである、ことを特徴とするので、
カムの形状を制御して閉路用の蓄勢手段の蓄勢時におけるモータの負荷トルクを制御でき、蓄勢装置の部品に加わる最大トルクも低減できる。
【０３１８】
さらに、蓄勢装置は、弾性変形しながらカムと摺動してカムを制動する制動部材を設けたものである、ことを特徴とするので、
慣性によって回転しているカムを制動して迅速に停止できる。
【０３１９】
また、カムと同じ軸に回転可能に投入ラッチを設け、この投入ラッチにより投入レバーを係止することにより閉路用の蓄勢手段を蓄勢状態に保持し投入ラッチによる投入レバーの係止を解除することにより閉路用の蓄勢手段を放勢させるものである、ことを特徴とするので、
投入ラッチを支持する軸を別に設けなくてよく、部品点数が減少する。
【０３２０】
そして、開閉器は遮断器である、ことを特徴とするので、
遮断器に用いて好適な操作装置を得ることができる。
【図面の簡単な説明】
【図１】  この発明の実施の形態１による遮断器の操作装置の要部構成図であり、遮断器が閉路状態で、投入用及び開路用のトーションバーがともに蓄勢した状態を示す。
【図２】  この発明の実施の形態１による閉路用のトーションバーを蓄勢する蓄勢装置の要部構成図である。
【図３】  この発明の実施の形態１による開路用のトーションバー及び第１の遮断レバー近傍を、図１の左側方から見て示す側面図である。
【図４】  この発明の実施の形態１による閉路用のトーションバー及び投入レバー近傍を、図１の左側方から見て示す側面図である。
【図５】  この発明の実施の形態１による遮断器の操作装置の要部構成図であり、図１の状態から開路動作をする途中の状態を示す。
【図６】  この発明の実施の形態１による遮断器の操作装置の要部構成図であり、図１の状態から開路動作が完了し、閉路用のトーションバーが蓄勢しており、開路用のトーションバーが放勢した状態を示す。
【図７】  この発明の実施の形態１による遮断器の操作装置の要部構成図であり、遮断器が閉路状態で、閉路用のトーションバーが放勢し、開路用のトーションバーが蓄勢した状態を示す。
【図８】  この発明の実施の形態１による高速再閉路操作の直後に２度目の開路動作を完了した状態で、遮断器が開路状態で、投入用及び開路用のトーションバーがともに放勢した状態を示す。
【図９】  図８の切断線Ｃ−Ｃにおける断面図である。
【図１０】  この発明の実施の形態２による遮断器の操作装置の要部構成図であり、遮断器が閉路状態で、閉路コイルばね及び開路コイルばねがともに蓄勢した状態を示す。
【図１１】  この発明の実施の形態２による遮断器の操作装置の要部構成図であり、図１０の状態から開路動作をする途中の状態を示す。
【図１２】  この発明の実施の形態２による遮断器の操作装置の要部構成図であり、図１１の状態から開路動作が完了し、閉路コイルバネが蓄勢しており、開路コイルばねが放勢した状態を示す。
【図１３】  この発明の実施の形態２による遮断器の操作装置の要部構成図であり、遮断器が閉路状態で、閉路コイルばねが放勢し、開路コイルばねが蓄勢した状態を示す。
【図１４】  この発明の実施の形態２による遮断器の操作装置の要部構成図であり、遮断器が開路状態で、閉路コイルばね及び開路コイルばねが放勢した状態を示す。
【図１５】  この発明の実施の形態３による遮断器の操作装置の要部構成図であり、遮断器が閉路状態で、投入及び開路コイルばねがともに蓄勢している状態を示す。
【図１６】  この発明の実施の形態３による遮断器の操作装置の要部構成図であり、図１５の状態から開路動作をする途中の状態を示す。
【図１７】  この発明の実施の形態３による遮断器の操作装置の要部構成図であり、図１６の状態から開路動作が完了し、閉路コイルバネが蓄勢しており、開路コイルばねが放勢した状態を示す。
【図１８】  この発明の実施の形態３による遮断器の操作装置の要部構成図であり、遮断器が閉路状態で、閉路コイルばねが放勢し、開路コイルばねが蓄勢した状態を示す。
【図１９】  この発明の実施の形態３による遮断器の操作装置の要部構成図であり、高速再閉路動作の直後に２度目の開路動作を完了した状態で、遮断器が開路状態で、投入及び開路コイルばねがともに放勢した状態を示す。
【図２０】  この発明の実施の形態４による遮断器の操作装置の要部構成図であり、遮断器が閉路状態で、投入用及び開路用のトーションバーがともに蓄勢した状態を示す。
【図２１】  この発明の実施の形態４による遮断器の操作装置のロック部材周辺の構成を説明するための説明図である。
【図２２】  この発明の実施の形態４による遮断器の操作装置の要部構成図であり、開路動作が完了し、閉路用のトーションバーが蓄勢し、開路用のトーションバーが放勢した状態を示す。
【図２３】  この発明の実施の形態４による遮断器の操作装置の要部構成図であり、遮断器の操作装置の要部構成図であり、閉路動作をする途中の状態を示す。
【図２４】  この発明の実施の形態４による遮断器の操作装置の要部構成図であり、遮断器が閉路状態で、閉路用のトーションバーが放勢し、開路用のトーションバーが蓄勢した状態を示す。
【図２５】  この発明の実施の形態４による遮断器の操作装置の要部構成図であり、高速再閉路動作の２度目の開路動作を完了した状態で、遮断器が開路状態で、投入用及び開路用のトーションバーがともに放勢した状態を示す。
【図２６】  この発明の実施の形態５による遮断器の操作装置の要部構成図であり、遮断器が閉路状態で、投入用及び開路コイルばねがともに蓄勢した状態を示す。
【図２７】  この発明の実施の形態５による遮断器の操作装置の要部構成図であり、遮断器が開路状態で、閉路コイルばねが蓄勢し、開路コイルばねが放勢した状態を示す。
【図２８】  この発明の実施の形態５による遮断器の操作装置の要部構成図であり、閉路動作をする途中の状態を示す。
【図２９】  この発明の実施の形態５による遮断器の操作装置の要部構成図であり、閉路動作が完了し、閉路コイルばねが放勢し、開路コイルばねが蓄勢した状態を示す。
【図３０】  この発明の実施の形態５による遮断器の操作装置の要部構成図であり、高速再閉路動作の２度目の開路動作を完了した状態で、遮断器が開路状態で、投入用及び開路コイルばねがともに放勢した状態を示す。
【図３１】  この発明の実施の形態６による遮断器の操作装置の要部構成図であり、遮断器が閉路状態で、閉路コイルばね及び開路コイルばねがともに蓄勢した状態を示す。
【図３２】  この発明の実施の形態６による遮断器の操作装置の要部構成図であり、図３１の状態から開路動作をする途中の状態を示す。
【図３３】  この発明の実施の形態６による遮断器の操作装置の要部構成図であり、遮断器が開路状態で、閉路コイルばねが蓄勢し、開路コイルばねが放勢した状態を示す。
【図３４】  この発明の実施の形態６による遮断器の操作装置の要部構成図であり、図３３の状態から閉路動作をする途中の状態を示す。
【図３５】  この発明の実施の形態６による遮断器の操作装置の要部構成図であり、閉路動作が完了し、閉路コイルばねが放勢し、開路コイルばねが蓄勢した状態を示す。
【図３６】  この発明の実施の形態６による遮断器の操作装置の要部構成図であり、高速再閉路動作の直後に２度目の開路動作を完了した状態で、遮断器が開路状態で、閉路コイルばね及び開路コイルばねがともに放勢した状態を示す。
【図３７】  この発明の実施の形態７による遮断器の操作装置の要部構成図であり、遮断器が閉路状態で、閉路コイルばね及び開路コイルばねがともに蓄勢した状態を示す。
【図３８】  この発明の実施の形態７による遮断器の操作装置の要部構成図であり、図３７の状態から開路動作をする途中の状態を示す。
【図３９】  この発明の実施の形態７による遮断器の操作装置の要部構成図であり、遮断器が開路状態で、閉路コイルばねが蓄勢し、開路コイルばねが放勢した状態を示す。
【図４０】  この発明の実施の形態７による遮断器の操作装置の要部構成図であり、図３９の状態から閉路動作をする途中の状態を示す。
【図４１】  この発明の実施の形態７による遮断器の操作装置の要部構成図であり、閉路動作が完了し、閉路コイルばねが放勢し、開路コイルばねが蓄勢した状態を示す。
【図４２】  この発明の実施の形態７による遮断器の操作装置の要部構成図であり、高速再閉路動作の直後に２度目の開路動作を完了した状態で、遮断器が開路状態で、閉路コイルばね及び開路コイルばねがともに放勢した状態を示す。
【図４３】  この発明の実施の形態８による遮断器の操作装置の要部構成図であり、遮断器が閉路状態で、閉路用のトーションバー及び開路用のトーションバーがともに蓄勢した状態を示す。
【図４４】  この発明の実施の形態８による遮断器の操作装置の要部構成図であり、図４３の状態から開路動作をする途中の状態を示す。
【図４５】  この発明の実施の形態８による遮断器の操作装置の要部構成図であり、遮断器が開路状態で、閉路用のトーションバーが蓄勢し、開路用のトーションバーが放勢した状態を示す。
【図４６】  この発明の実施の形態８による遮断器の操作装置の要部構成図であり、図４５の状態から閉路動作をする途中の状態を示す。
【図４７】  この発明の実施の形態８による遮断器の操作装置の要部構成図であり、閉路動作が完了し、閉路用のトーションバーが放勢し、開路用のトーションバーが蓄勢した状態を示す。
【図４８】  この発明の実施の形態８による遮断器の操作装置の要部構成図であり、高速再閉路動作の直後に２度目の開路動作を完了した状態で、遮断器が開路状態で、閉路用のトーションバー及び開路用のトーションバーがともに放勢した状態を示す。
【図４９】  この発明の実施の形態９による遮断器の操作装置の要部構成図であり、遮断器が閉路状態で、閉路コイルばね及び開路コイルばねがともに蓄勢した状態を示す。
【図５０】  この発明の実施の形態９による遮断器の操作装置の要部構成図であり、図４９の状態から開路動作をする途中の状態を示す。
【図５１】  この発明の実施の形態９による遮断器の操作装置の要部構成図であり、遮断器が開路状態で、閉路コイルばねが蓄勢し、開路コイルばねが放勢した状態を示す。
【図５２】  この発明の実施の形態９による遮断器の操作装置の要部構成図であり、図５１の状態から閉路動作をする途中の状態を示す。
【図５３】  この発明の実施の形態９による遮断器の操作装置の要部構成図であり、閉路動作が完了し、閉路コイルばねが放勢し、開路コイルばねが蓄勢した状態を示す。
【図５４】  この発明の実施の形態９による遮断器の操作装置の要部構成図であり、高速再閉路動作の直後に２度目の開路動作を完了した状態で、遮断器が開路状態で、閉路コイルばね及び開路コイルばねがともに放勢した状態を示す。
【図５５】  図４９の第２のロック部材の詳細構成を示す部分拡大図である。
【図５６】  この発明の実施の形態１０による遮断器の操作装置の要部構成図であり、遮断器が閉路状態で、閉路コイルばね及び開路コイルばねがともに蓄勢した状態を示す。
【図５７】  この発明の実施の形態１０による遮断器の操作装置の要部構成図であり、図５６の状態から開路動作をする途中の状態を示す。
【図５８】  この発明の実施の形態１０による遮断器の操作装置の要部構成図であり、遮断器が開路状態で、閉路コイルばねが蓄勢し、開路コイルばねが放勢した状態を示す。
【図５９】  この発明の実施の形態１０による遮断器の操作装置の要部構成図であり、図５８の状態から閉路動作をする途中の状態を示す。
【図６０】  この発明の実施の形態１０による遮断器の操作装置の要部構成図であり、閉路動作が完了し、閉路コイルばねが放勢し、開路コイルばねが蓄勢した状態を示す。
【図６１】  この発明の実施の形態１０による遮断器の操作装置の要部構成図であり、高速再閉路動作の直後に２度目の開路動作を完了した状態で、遮断器が開路状態で、閉路コイルばね及び開路コイルばねがともに放勢した状態を示す。
【図６２】  この発明の実施の形態１１による遮断器の操作装置の要部構成図であり、遮断器が閉路状態で、閉路用のトーションバー及び開路用のトーションバーがともに蓄勢した状態を示す。
【図６３】  この発明の実施の形態１１による遮断器の操作装置の要部構成図であり、図６２の状態から開路動作をする途中の状態を示す。
【図６４】  この発明の実施の形態１１による遮断器の操作装置の要部構成図であり、遮断器が開路状態で、閉路用のトーションバーが蓄勢し、開路用のトーションバーが放勢した状態を示す。
【図６５】  この発明の実施の形態１１による遮断器の操作装置の要部構成図であり、図６４の状態から閉路動作をする途中の状態を示す。
【図６６】  この発明の実施の形態１１による遮断器の操作装置の要部構成図であり、閉路動作が完了し、閉路用のトーションバーが放勢し、開路用のトーションバーが蓄勢した状態を示す。
【図６７】  この発明の実施の形態１１による遮断器の操作装置の要部構成図であり、高速再閉路動作の直後に２度目の開路動作を完了した状態で、遮断器が開路状態で、閉路用のトーションバー及び開路用のトーションバーがともに放勢した状態を示す。
【図６８】  この発明の実施の形態１２による遮断器の操作装置の要部構成図であり、遮断器が閉路状態で、閉路コイルばね及び開路コイルばねが蓄勢した状態を示す。
【図６９】  この発明の実施の形態１３による遮断器の操作装置の蓄勢装置の要部構成図である。
【図７０】  従来の遮断器の操作装置の構造を示す斜視図である。
【図７１】  従来の遮断器の操作装置の要部構成図であり、遮断器が閉路状態にあり、遮断用及び閉路用のトーションバーがともに蓄勢した状態を示す。
【図７２】  従来の遮断器の操作装置の要部構成図であり、遮断器が開路状態にあり、開路用のトーションバーが放勢し、閉路用のトーションバーが蓄勢した状態を示す。
【図７３】  従来の遮断器の操作装置の要部構成図であり、遮断器が閉路状態にあり、開路用のトーションバーが蓄勢し、閉路用のトーションバーが放勢した状態を示す。
【符号の説明】
１０  開閉接点、１２  固定接触子、２２  可動接触子、
２８，３４  開路用のトーションバー、２９，３５  閉路用のトーションバー、
４７  リンク装置、４７ａ  連結部、５１  主軸、５２  第１の遮断レバー、
５３  第１のリンク、５４  第２のリンク、５５  第２の遮断レバー、
５９  回転体、６０  開路コイルばね、６２  ガイド、６２ａ  円弧面、
６２ｂ  ピン、６３  回転軸、６７  第２の引外しラッチ、
６９  第１の引外しラッチ、１  引外しトリガ、７６  投入レバー、
７７  閉路コイルばね、２  投入ラッチ、８７  ピン、８９  第２の回転体、
９０  カム軸、９１  カム、９４  弾性体、９５  ガイド、９５ａ  平面、
９７  投入ラッチ、１０３  ロック部材、１０４  ストッパ、１０９  投入軸、
１１０  レバー、１１１  投入リンク、１１２  ピン、
２００  第１のロック部材、２０１  回転軸、２０２  ロックプレート、
２０３  ばね、２１０  第２のロック部材、２１１  連結ピン、
２１２  トリガレバー、２１３  ばね、３１０  第２のロック部材、
３１０ａ  挿入ピン、３１７  プランジャ、３１７ａ  孔部。
【図１】
0003808328.tif 000002
【図２】
0003808328.tif 000003
【図３】
0003808328.tif 000004
【図４】
0003808328.tif 000005
【図５】
0003808328.tif 000006
【図６】
0003808328.tif 000007
【図７】
0003808328.tif 000008
【図８】
0003808328.tif 000009
【図９】
0003808328.tif 000010
【図１０】
0003808328.tif 000011
【図１１】
0003808328.tif 000012
【図１２】
0003808328.tif 000013
【図１３】
0003808328.tif 000014
【図１４】
0003808328.tif 000015
【図１５】
0003808328.tif 000016
【図１６】
0003808328.tif 000017
【図１７】
0003808328.tif 000018
【図１８】
0003808328.tif 000019
【図１９】
0003808328.tif 000020
【図２０】
0003808328.tif 000021
【図２１】
0003808328.tif 000022
【図２２】
0003808328.tif 000023
【図２３】
0003808328.tif 000024
【図２４】
0003808328.tif 000025
【図２５】
0003808328.tif 000026
【図２６】
0003808328.tif 000027
【図２７】
0003808328.tif 000028
【図２８】
0003808328.tif 000029
【図２９】
0003808328.tif 000030
【図３０】
0003808328.tif 000031
【図３１】
0003808328.tif 000032
【図３２】
0003808328.tif 000033
【図３３】
0003808328.tif 000034
【図３４】
0003808328.tif 000035
【図３５】
0003808328.tif 000036
【図３６】
0003808328.tif 000037
【図３７】
0003808328.tif 000038
【図３８】
0003808328.tif 000039
【図３９】
0003808328.tif 000040
【図４０】
0003808328.tif 000041
【図４１】
0003808328.tif 000042
【図４２】
0003808328.tif 000043
【図４３】
0003808328.tif 000044
【図４４】
0003808328.tif 000045
【図４５】
0003808328.tif 000046
【図４６】
0003808328.tif 000047
【図４７】
0003808328.tif 000048
【図４８】
0003808328.tif 000049
【図４９】
0003808328.tif 000050
【図５０】
0003808328.tif 000051
【図５１】
0003808328.tif 000052
【図５２】
0003808328.tif 000053
【図５３】
0003808328.tif 000054
【図５４】
0003808328.tif 000055
【図５５】
0003808328.tif 000056
【図５６】
0003808328.tif 000057
【図５７】
0003808328.tif 000058
【図５８】
0003808328.tif 000059
【図５９】
0003808328.tif 000060
【図６０】
0003808328.tif 000061
【図６１】
0003808328.tif 000062
【図６２】
0003808328.tif 000063
【図６３】
0003808328.tif 000064
【図６４】
0003808328.tif 000065
【図６５】
0003808328.tif 000066
【図６６】
0003808328.tif 000067
【図６７】
0003808328.tif 000068
【図６８】
0003808328.tif 000069
【図６９】
0003808328.tif 000070
【図７０】
0003808328.tif 000071
【図７１】
0003808328.tif 000072
【図７２】
0003808328.tif 000073
【図７３】
0003808328.tif 000074